(57)【要約】  参照信号の伝送方法および伝送装置を開示する。上記方法は、以下の情報、すなわち、参照信号が位置する時間単位に含まれる時間領域シンボルの数Ｎ、正の整数Ｍ、１つの時間単位に含まれるＮ個の時間領域シンボルのうちの参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、参照信号が位置するフレームに含まれる時間単位の数Ｂ、または参照信号が位置する帯域幅部分（ＢＷＰ）のサブキャリア間隔に従って取得される時間単位インデックス、のうちの少なくとも１つに従って、参照信号のシーケンスグループ番号および／またはシーケンス番号を取得することと、シーケンスグループ番号および／またはシーケンス番号に従って参照信号を決定することと、参照信号を伝送することとを含む。
2021508219.tif 000002
【特許請求の範囲】
【請求項１】
参照信号の伝送方法であって、
以下の情報、すなわち、
前記参照信号が位置する時間単位に含まれる時間領域シンボルの数Ｎ、正の整数Ｍ、前記時間単位に含まれるＮ個の時間領域シンボルのうちの前記参照信号が位置する時間領域シンボルのインデックス情報、プリセットされたＭ個の時間領域シンボルのうちの前記参照信号が位置する時間領域シンボルのインデックス情報、前記参照信号が位置するフレームのフレーム番号、前記参照信号が位置する前記フレームに含まれる時間単位の数Ｂ、または前記参照信号が位置する帯域幅部分（ＢＷＰ）のサブキャリア間隔に従って取得される時間単位インデックス
のうちの少なくとも１つに従って、前記参照信号のシーケンスグループ番号またはシーケンス番号のうちの少なくとも一方を取得することと、
前記シーケンスグループ番号または前記シーケンス番号のうちの少なくとも一方に従って前記参照信号を決定することと、
前記参照信号を伝送することとを備え、
Ｍは以下の条件、すなわち、ＭはＮ以下であり、Ａ以上である、を満たし、Ａは、１つの時間単位内の前記参照信号が占有可能な時間領域シンボルの最大数であり、または、Ａは、１つの時間単位内の前記参照信号が占有する時間領域シンボルの数である、方法。
【請求項２】
Ｍは以下の情報、すなわち、
１つの時間単位内の前記参照信号が占有可能な時間領域シンボルセットに含まれる時間領域シンボルの数、
１つの時間単位内の前記参照信号が占有する時間領域シンボルの数の最大値、または
１つの時間単位内の前記参照信号が占有可能な前記時間領域シンボルセット内の最大インデックスを有する時間領域シンボルと最小インデックスを有する時間領域シンボルとの間の距離
のうちの１つに従って決定され、
前記インデックスは、前記時間単位に含まれる前記時間領域シンボルセット内の時間領域シンボルのインデックスである、請求項１に記載の方法。
【請求項３】
ＮまたはＭのうちの少なくとも一方は、以下の方式、すなわち、
ＮまたはＭのうちの前記少なくとも一方は受信したシグナリング情報で搬送される、または
ＮまたはＭのうちの前記少なくとも一方は予め合意されている
のうちの一方に従って決定される、請求項１に記載の方法。
【請求項４】
前記シーケンスグループ番号または前記シーケンス番号のうちの前記少なくとも一方に従って前記参照信号を決定することは、前記参照信号を以下の方式、すなわち、
【数１】
2021508219.tif 000068
によって決定することを備え、
ｕは前記シーケンスグループ番号であり、
【数２】
2021508219.tif 000069
は前記参照信号であり、
【数３】
2021508219.tif 000070
は前記参照信号の長さであり、δはインターリーブ周波数分割多元接続（ＩＦＤＭＡ）のコームレベルの総数であり、またはδは０であり、ωは｛０，１｝に属し、
【数４】
2021508219.tif 000071
が予め定められた閾値よりも大きいという条件では、
【数５】
2021508219.tif 000072
であり、
ｖは前記シーケンス番号であって｛０，１｝に属し、０≦α≦２πであり、
【数６】
2021508219.tif 000073
は
【数７】
2021508219.tif 000074
未満の最大素数であり、
【数８】
2021508219.tif 000075
が前記予め定められた閾値以下であるという条件では、
【数９】
2021508219.tif 000076
であり、φ（ｎ）は前記シーケンスグループ番号ｕに従ってプリセットテーブルを検索することにより得られ、ｖは０である、請求項１に記載の方法。
【請求項５】
１つの時間単位に含まれる時間領域シンボルセット内の前記参照信号が位置する前記時間領域シンボルの前記インデックス情報は、時系列に後ろから前に順次増大する、請求項１に記載の方法。
【請求項６】
前記以下の情報のうちの前記少なくとも１つに従って前記参照信号の前記シーケンスグループ番号を取得することは、前記参照信号の前記シーケンスグループ番号を以下の方式、すなわち、
前記シーケンスグループ番号ｕ＝（ｆｇｈ（ｘ）＋ｆｓｓ）ｍｏｄ  Ｃ、または
前記シーケンスグループ番号ｕはｆｇｈ（ｘ）に従って取得される
によって取得することを備え、
ｆｇｈ（ｘ）はｘに関する関数であり、ｘは前記情報のうちの少なくとも１つを備え、Ｃはシーケンスグループの総数であり、ｆｓｓは合意規則または受信したシグナリング情報に含まれるパラメータのうちの少なくとも一方に従って得られる、請求項１に記載の方法。
【請求項７】
【数１０】
2021508219.tif 000077
であり、
ｈ（ｘ）はｘに関する関数であり、
Ｄは８以上の整数であり、ｃ（ｚ）はランダムシーケンス関数ｃ（）が生成するシーケンス内のｚ番目の値であり、ｚは非負整数である、請求項６に記載の方法。
【請求項８】
前記方法は以下の特徴、すなわち、
Ｄは前記受信したシグナリング情報で搬送されること、
ｃ（）は擬似ランダムのランダムシーケンス生成関数であること、
Ｃの値が３０よりも大きいという条件では、Ｄは８よりも大きいこと、
【数１１】
2021508219.tif 000078
【数１２】
2021508219.tif 000079
【数１３】
2021508219.tif 000080
のうちの少なくとも１つを満たす、請求項７に記載の方法。
【請求項９】
ｈ（ｘ）は以下の式、すなわち、
【数１４】
2021508219.tif 000081
のうちの１つを満たし、
ｌ１は、プリセットされた前記Ｍ個の時間領域シンボルを備えるセット内の前記参照信号が位置する前記時間領域シンボルの前記インデックス情報であり、０≦ｌ１＜Ｍであり、ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎ′ｆ＝ｎｆまたはｎ′ｆ＝ｎｆｍｏｄ（Ｅ）であり、ｎｆは前記参照信号が位置する前記フレームの前記フレーム番号であり、Ｅは予め定められた値であり、ｎｓは、前記参照信号が位置する前記ＢＷＰの前記サブキャリア間隔に従って取得される前記時間単位インデックスであり、または、ｎｓは、１フレーム内の前記参照信号が位置する時間単位のインデックスである、請求項７に記載の方法。
【請求項１０】
前記参照信号は、測定参照信号、復調参照信号、または制御チャネル周波数領域拡散シーケンス、のうちの少なくとも１つを備える、請求項１に記載の方法。
【請求項１１】
前記以下の情報のうちの前記少なくとも１つに従って前記参照信号の前記シーケンス番号を取得することは、
シーケンスホッピングの場合、前記シーケンス番号ｖはｖ＝ｃ（ｚ１）を満たし、ｚ１は前記情報のうちの少なくとも１つに従って得られ、ｃ（ｚ）はランダムシーケンス関数ｃ（）が生成するシーケンス内のｚ番目の値であり、ｚは非負整数である
ことを備える、請求項１に記載の方法。
【請求項１２】
ｚ１は以下の式、すなわち、
【数１５】
2021508219.tif 000082
のうちの１つに従って得られ、
ｌ１は、プリセットされた前記Ｍ個の時間領域シンボルを備えるセット内の前記参照信号が位置する前記時間領域シンボルの前記インデックス情報であり、０≦ｌ１＜Ｍであり、ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎ′ｆ＝ｎｆまたはｎ′ｆ＝ｎｆｍｏｄ（Ｅ）であり、ｎｆは前記参照信号が位置する前記フレームの前記フレーム番号であり、Ｅは予め定められた値であり、ｎｓは、前記参照信号が位置する前記ＢＷＰの前記サブキャリア間隔に従って取得される前記時間単位インデックスであり、または、ｎｓは、１フレーム内の前記参照信号が位置する時間単位のインデックスである、請求項１１に記載の方法。
【請求項１３】
参照信号の伝送方法であって、
シグナリング情報または予め合意した規則に従って、以下の動作、すなわち、複数のパラメータセットから１つのパラメータセットを選択すること、または複数の式から１つの式を選択すること、のうちの少なくとも一方を実行することと、
選択された前記パラメータセットまたは選択された前記式のうちの少なくとも一方に従ってシーケンスグループ番号またはシーケンス番号のうちの少なくとも一方を決定することと、
前記シーケンスグループ番号または前記シーケンス番号のうちの前記少なくとも一方に従って参照信号を決定することと、
前記参照信号を伝送することとを備える、方法。
【請求項１４】
前記複数のパラメータセットは、少なくとも第１のパラメータセットおよび第２のパラメータセットを備え、
前記第１のパラメータセットは以下のパラメータ、すなわち、１つの時間単位内の前記参照信号が占有する時間領域シンボルの数Ｌ、Ｌ個の時間領域シンボルのうちの前記参照信号が占有する時間領域シンボルのインデックス情報、または前記参照信号が位置する帯域幅部分（ＢＷＰ）のサブキャリア間隔に従って取得される時間単位インデックス、のうちの少なくとも１つを備え、
前記第２のパラメータセットは以下のパラメータ、すなわち、前記参照信号が位置する時間単位に含まれる時間領域シンボルの数Ｎ、正の整数Ｍ、１つの時間単位内の前記参照信号が位置する時間領域シンボルのインデックス情報、プリセットされたＭ個の時間領域シンボルのうちの前記参照信号が位置する時間領域シンボルのインデックス情報、前記参照信号が位置するフレームのフレーム番号、前記参照信号が位置する前記フレームに含まれる時間単位の数Ｂ、または前記参照信号が位置する帯域幅部分（ＢＷＰ）のサブキャリア間隔に従って取得される時間単位インデックス、のうちの少なくとも１つを備える、請求項１３に記載の方法。
【請求項１５】
前記複数のパラメータセットは、少なくとも第３のパラメータセットおよび第４のパラメータセットを備え、前記第３のパラメータセットは時間領域シンボルインデックス情報を含み、前記第４のパラメータセットは前記時間領域シンボルインデックス情報を含まない、請求項１３に記載の方法。
【請求項１６】
ＮまたはＭのうちの少なくとも一方は、以下の方式、すなわち、
ＮまたはＭのうちの前記少なくとも一方は受信したシグナリング情報で搬送される、または
ＮまたはＭのうちの前記少なくとも一方は予め合意されている
のうちの一方に従って決定される、請求項１４に記載の方法。
【請求項１７】
前記シーケンスグループ番号または前記シーケンス番号のうちの前記少なくとも一方に従って前記参照信号を決定することは、前記参照信号を以下の方式、すなわち、
【数１６】
2021508219.tif 000083
によって決定することを備え、
ｕは前記シーケンスグループ番号であり、
【数１７】
2021508219.tif 000084
は前記参照信号であり、
【数１８】
2021508219.tif 000085
は前記参照信号の長さであり、δはインターリーブ周波数分割多元接続（ＩＦＤＭＡ）のコームレベルの総数であり、またはδは０であり、ωは｛０，１｝に属し、
【数１９】
2021508219.tif 000086
が予め定められた閾値よりも大きいという条件では、
【数２０】
2021508219.tif 000087
であり、
ｖは前記シーケンス番号であって｛０，１｝に属し、０≦α≦２πであり、
【数２１】
2021508219.tif 000088
は
【数２２】
2021508219.tif 000089
未満の最大素数であり、
【数２３】
2021508219.tif 000090
が前記予め定められた閾値以下であるという条件では、
【数２４】
2021508219.tif 000091
であり、φ（ｎ）は前記シーケンスグループ番号ｕに従ってプリセットテーブルを検索することにより得られ、ｖは０である、請求項１３に記載の方法。
【請求項１８】
選択された前記パラメータセットまたは選択された前記式のうちの少なくとも一方に従って前記シーケンスグループ番号を決定することは、
前記シーケンスグループ番号ｕはｕ＝（ｆｇｈ（ｘ）＋ｆｓｓ）ｍｏｄ  Ｃを満たすこと、または
前記シーケンスグループ番号ｕはｆｇｈ（ｘ）に従って取得されること
を備え、
ｆｇｈ（ｘ）はｘに関する関数であり、ｘは選択された前記パラメータセット内の少なくとも１つの情報を備え、Ｃはシーケンスグループの総数であり、ｆｓｓは合意規則または受信したシグナリング情報に含まれるパラメータのうちの少なくとも一方に従って得られる、請求項１３に記載の方法。
【請求項１９】
【数２５】
2021508219.tif 000092
であり、
ｈ（ｘ）はｘに関する関数であり、
Ｄは８以上の整数であり、ｃ（ｚ）はランダムシーケンス関数ｃ（）が生成するシーケンス内のｚ番目の値であり、ｚは非負整数である、請求項１８に記載の方法。
【請求項２０】
以下の特徴、すなわち、
Ｄは前記受信したシグナリング情報で搬送されること、
ｃ（）は擬似ランダムのランダムシーケンス生成関数であること、
Ｃの値が３０よりも大きいという条件では、Ｄは８よりも大きいこと、
【数２６】
2021508219.tif 000093
【数２７】
2021508219.tif 000094
【数２８】
2021508219.tif 000095
のうちの少なくとも１つを満たす、請求項１９に記載の方法。
【請求項２１】
ｈ（ｘ）は以下の式、すなわち、
【数２９】
2021508219.tif 000096
のうちの１つを満たし、
ｌ１は、プリセットされた前記Ｍ個の時間領域シンボルを備えるセット内の前記参照信号が位置する前記時間領域シンボルの前記インデックス情報であり、０≦ｌ１＜Ｍであり、ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎ′ｆ＝ｎｆまたはｎ′ｆ＝ｎｆｍｏｄ（Ｅ）であり、ｎｆは前記参照信号が位置する前記フレームの前記フレーム番号であり、Ｅは予め定められた値であり、Ｂは前記参照信号が位置する前記フレームに含まれる時間単位の数であり、ｎｓは、前記参照信号が位置する帯域幅部分（ＢＷＰ）のサブキャリア間隔に従って取得される時間単位インデックスであり、または、ｎｓは、１フレーム内の前記参照信号が位置する時間単位のインデックスである、請求項１９に記載の方法。
【請求項２２】
前記複数の式は、前記シーケンスグループ番号または前記シーケンス番号のうちの少なくとも一方のホッピング規則を記述するために用いられる、請求項１３に記載の方法。
【請求項２３】
前記シーケンスグループ番号のホッピング式は、
【数３０】
2021508219.tif 000097
のうちの少なくとも１つを備え、
前記シーケンス番号のホッピング式はｖ＝ｃ（ｚ１）を満たし、ｚ１は以下の式、すなわち、
【数３１】
2021508219.tif 000098
のうちの１つに従って得られ、
ｌ１は、プリセットされたＭ個の時間領域シンボルを備えるセット内の前記参照信号が位置する時間領域シンボルのインデックス情報であり、ｌ２は、１つの時間単位に含まれるＮ個の時間領域シンボルのうちの前記参照信号が位置する前記時間領域シンボルのインデックス情報であり、ｎ′ｆ＝ｎｆまたはｎ′ｆ＝ｎｆｍｏｄ（Ｅ）であり、ｎｆは前記参照信号が位置するフレームのフレーム番号であり、Ｅは予め定められた値であり、Ｂは前記参照信号が位置する前記フレームに含まれる時間単位の数であり、ｎｓは、前記参照信号が位置する帯域幅部分（ＢＷＰ）のサブキャリア間隔に従って取得される時間単位インデックスであり、または、ｎｓは、１フレーム内の前記参照信号が位置する時間単位のインデックスであり、
前記シーケンスグループ番号ｕ＝（ｆｇｈ（ｘ）＋ｆｓｓ）ｍｏｄ  Ｃであり、
【数３２】
2021508219.tif 000099
であり、Ｃはシーケンスグループの総数であり、Ｄは８以上の整数であり、ｃ（ｚ）はランダムシーケンス内のｚ番目の値であり、ｚは非負整数である、請求項２２に記載の方法。
【請求項２４】
選択された前記パラメータおよび選択された前記式に従って前記シーケンス番号を決定することは、
シーケンスホッピングの場合、前記シーケンス番号ｖはｖ＝ｃ（ｚ１）を満たし、ｚ１は前記パラメータに従って得られ、ｃ（ｚ）はランダムシーケンス関数ｃ（）が生成するシーケンス内のｚ番目の値であり、ｚは非負整数である
ことを備える、請求項１３に記載の方法。
【請求項２５】
ｚ１は以下の式、すなわち、
【数３３】
2021508219.tif 000100
のうちの１つに従って得られ、
ｌ１は、プリセットされたＭ個の時間領域シンボルを備えるセット内の前記参照信号が位置する時間領域シンボルのインデックス情報であり、０≦ｌ１＜Ｍであり、ｌ２は、１つの時間単位に含まれるＮ個の時間領域シンボルのうちの前記参照信号が位置する前記時間領域シンボルのインデックス情報であり、０≦ｌ２＜Ｎであり、ｎ′ｆ＝ｎｆまたはｎ′ｆ＝ｎｆｍｏｄ（Ｅ）であり、ｎｆは前記参照信号が位置するフレームのフレーム番号であり、Ｅは予め定められた値であり、ｎｓは、前記参照信号が位置する帯域幅部分（ＢＷＰ）のサブキャリア間隔に従って取得される時間単位インデックスであり、または、ｎｓは、１フレーム内の前記参照信号が位置する時間単位のインデックスである、請求項２４に記載の方法。
【請求項２６】
シグナリングの送信方法であって、
シグナリング情報を通信ノードに送信することを備え、
前記シグナリング情報は、以下の動作、すなわち、少なくとも１つのパラメータセットから１つのパラメータセットを選択すること、または少なくとも１つの式から１つの式を選択すること、のうちの少なくとも一方を実行するように、かつ、選択された前記パラメータまたは選択された前記式のうちの少なくとも一方に従って参照信号を決定するように、前記通信ノードに指示するように構成される、方法。
【請求項２７】
参照信号の伝送方法であって、
シグナリング情報または合意規則に従って、シーケンスグループ番号またはシーケンス番号のうちの少なくとも一方を生成するためのパラメータの取得方式を決定することと、
前記取得方式に従って前記パラメータを決定することと、
前記パラメータに従って前記シーケンスグループ番号または前記シーケンス番号のうちの少なくとも一方を生成することと、
前記シーケンスグループ番号または前記シーケンス番号のうちの前記少なくとも一方に従って前記参照信号を決定することと、
前記参照信号を伝送することとを備える、方法。
【請求項２８】
前記パラメータは、時間領域シンボルインデックス、または時間領域シンボルの数、のうちの少なくとも一方を備える、請求項２７に記載の方法。
【請求項２９】
前記時間領域シンボルインデックスの取得方式は、少なくとも以下の３つの取得方式、すなわち、
前記時間領域シンボルインデックスは、Ｌ個の時間領域シンボルのうちの前記参照信号が位置する時間領域シンボルのインデックスであり、Ｌは、１つの時間単位内の前記参照信号が占有する時間領域シンボルの数である、
前記時間領域シンボルインデックスは、Ｎ個の時間領域シンボルのうちの前記参照信号が位置する時間領域シンボルのインデックスであり、Ｎは、前記参照信号が位置する時間単位に含まれる時間領域シンボルの数である、および
前記時間領域シンボルインデックスは、Ｍ個の時間領域シンボルのうちの前記参照信号が位置する時間領域シンボルのインデックスであり、Ｍは、１つの時間単位内の前記参照信号が占有可能な時間領域シンボルセットに含まれる時間領域シンボルの数である
を備える、請求項２８に記載の方法。
【請求項３０】
前記時間領域シンボルの数の取得方式は、少なくとも以下の３つの取得方式、すなわち、
前記時間領域シンボルの数は、１つの時間単位内の前記参照信号が占有する時間領域シンボルの数である、
前記時間領域シンボルの数は、前記参照信号が位置する時間単位に含まれる時間領域シンボルの数である、および
前記時間領域シンボルの数は、１つの時間単位内の前記参照信号が占有可能な時間領域シンボルセットに含まれる時間領域シンボルの数である
を備える、請求項２８に記載の方法。
【請求項３１】
参照信号の伝送装置であって、
取得モジュールを備え、前記取得モジュールは以下の情報、すなわち、
参照信号が位置する時間単位に含まれる時間領域シンボルの数Ｎ、正の整数Ｍ、１つの時間単位に含まれるＮ個の時間領域シンボルのうちの前記参照信号が位置する時間領域シンボルのインデックス情報、プリセットされたＭ個の時間領域シンボルのうちの前記参照信号が位置する時間領域シンボルのインデックス情報、前記参照信号が位置するフレームのフレーム番号、前記参照信号が位置する前記フレームに含まれる時間単位の数Ｂ、または前記参照信号が位置する帯域幅部分（ＢＷＰ）のサブキャリア間隔に従って取得される時間単位インデックス
のうちの少なくとも１つに従って、前記参照信号のシーケンスグループ番号またはシーケンス番号のうちの少なくとも一方を取得するように構成され、前記装置はさらに、
前記シーケンスグループ番号または前記シーケンス番号のうちの少なくとも一方に従って前記参照信号を決定するように構成される決定モジュールと、
前記参照信号を伝送するように構成される伝送モジュールとを備え、
Ｍは以下の条件、すなわち、ＭはＮ以下であり、Ａ以上である、を満たし、Ａは、１つの時間単位内の前記参照信号が占有可能な時間領域シンボルの最大数であり、または、Ａは、１つの時間単位内の前記参照信号が占有する時間領域シンボルの数である、装置。
【請求項３２】
参照信号の伝送装置であって、
シグナリング情報または予め合意した規則に従って、以下の動作、すなわち、複数のパラメータセットから１つのパラメータセットを選択すること、または複数の式から１つの式を選択すること、のうちの少なくとも一方を実行するように構成される実行モジュールと、
選択された前記パラメータセットまたは選択された前記式のうちの少なくとも一方に従ってシーケンスグループ番号またはシーケンス番号のうちの少なくとも一方を決定するように構成される第１の決定モジュールと、
前記シーケンスグループ番号または前記シーケンス番号のうちの前記少なくとも一方に従って前記参照信号を決定するように構成される第２の決定モジュールと、
前記参照信号を伝送するように構成される伝送モジュールとを備える、装置。
【請求項３３】
参照信号の伝送装置であって、
シグナリング情報または合意規則に従って、シーケンスグループ番号またはシーケンス番号のうちの少なくとも一方を生成するためのパラメータの取得方式を決定するように構成される第１の決定モジュールと、
前記取得方式に従って前記パラメータを決定するように構成される第２の決定モジュールと、
前記パラメータに従って前記シーケンスグループ番号または前記シーケンス番号のうちの前記少なくとも一方を生成するように構成される生成モジュールと、
前記シーケンスグループ番号または前記シーケンス番号のうちの前記少なくとも一方に従って前記参照信号を決定するように構成される第３の決定モジュールと、
前記参照信号を伝送するように構成される伝送モジュールとを備える、装置。
【請求項３４】
実行されると請求項１〜３０のいずれか１項に記載の方法を行なうプログラムを格納している、記憶媒体。
【請求項３５】
実行されると請求項１〜３０のいずれか１項に記載の方法を行なうプログラムを実行するように構成される、プロセッサ。
【発明の詳細な説明】
【技術分野】
【０００１】
本開示は、２０１７年１２月１１日に出願された中国特許出願第２０１７１１３１１８７２．Ｘ号に基づく優先権を主張し、その内容全体を本開示に引用により援用する。
【０００２】
技術分野
本開示は、通信技術分野に関し、たとえば、参照信号の伝送方法および伝送装置に関する。
【背景技術】
【０００３】
背景
既存の技術では、ロング・ターム・エボリューション（ＬＴＥ）システムにおいて、チャネルサウンディング参照信号（ＳＲＳ）はアップリンク参照信号として、スロット内の１つの時間領域シンボルを占有する（特殊なアップリンクサブフレーム内の、または特殊なアップリンクパイロット時間スロット（ＵｐＰＴＳ）内の、２つ以上の時間領域シンボルを占有し得るに過ぎない）。ＳＲＳには、より良好な相関性能を有するＺａｄｏｆｆ  Ｃｈｕ（ＺＣ）シーケンスが使用され、ＺＣシーケンスのシーケンスグループ番号ｕの取得パラメータはサブフレームシリアル番号を含んでいるため、シーケンスグループ番号ｕはサブフレームとともに変化して干渉ランダム化を達成する。
【０００４】
ＬＴＥの場合とは異なり、新たな無線（ＮＲ）システムでは、ＳＲＳリソースはスロット内の２つ以上の時間領域シンボルを占有する場合があるため、より良好な干渉ランダム化効果を得るために、ＺＣシーケンスのシーケンスグループ番号の変化を考慮した改善された解決策が必要とされている。
【０００５】
シーケンスグループ番号および／またはシーケンス番号が変化する新たな無線システムに参照信号の決定方式を適用できないという既存の技術における問題に対する効果的な解決策は存在しない。
【発明の概要】
【課題を解決するための手段】
【０００６】
概要
本開示は、シーケンスグループ番号および／またはシーケンス番号が変化する新たな無線システムに参照信号の決定方式を適用できないという既存の技術における問題を少なくとも解決する、参照信号の伝送方法および伝送装置を提供する。シーケンスグループ番号および／またはシーケンス番号が変化する新たな無線システムのための要件を満たすことができ、それによって、セルのアップリンク測定参照信号間の干渉を低減する。
【０００７】
本開示は、参照信号の伝送方法を提供する。上記方法は、以下の情報、すなわち、参照信号が位置する時間単位に含まれる時間領域シンボルの数Ｎ、正の整数Ｍ、１つの時間単位に含まれるＮ個の時間領域シンボルのうちの上記参照信号が位置する時間領域シンボルのインデックス情報、プリセットされたＭ個の時間領域シンボルのうちの上記参照信号が位置する時間領域シンボルのインデックス情報、上記参照信号が位置するフレームのフレーム番号、上記参照信号が位置する上記フレームに含まれる時間単位の数Ｂ、または、上記参照信号が位置する帯域幅部分（ＢＷＰ）のサブキャリア間隔に従って取得される時間単位インデックス、のうちの少なくとも１つに従って、上記参照信号のシーケンスグループ番号および／またはシーケンス番号を取得することと、上記シーケンスグループ番号および／または上記シーケンス番号に従って上記参照信号を決定することと、上記参照信号を伝送することとを含む。
【０００８】
Ｍは以下の条件、すなわち、ＭはＮ以下であり、Ａ以上である、を満たす。Ａは、１つの時間単位内の上記参照信号が占有可能な時間領域シンボルの最大数であり、または、Ａは、１つの時間単位内の上記参照信号が占有する時間領域シンボルの数である。
【０００９】
本開示は、参照信号の伝送方法をさらに提供する。上記方法は、シグナリング情報または予め合意した規則に従って、以下の動作、すなわち、複数のパラメータセットから１つのパラメータセットを選択すること、または複数の式から１つの式を選択すること、のうちの少なくとも一方を実行することと、選択された上記パラメータセットおよび／または選択された上記式に従ってシーケンスグループ番号および／またはシーケンス番号を決定することと、上記シーケンスグループ番号および／または上記シーケンス番号に従って参照信号を決定することと、上記参照信号を伝送することとを含む。
【００１０】
本開示は、シグナリングの送信方法をさらに提供する。上記方法は、シグナリング情報を第２の通信ノードに送信することを含む。上記シグナリング情報を用いて、以下の動作、すなわち、少なくとも１つのパラメータセットから第１のパラメータセットを選択すること、または少なくとも１つの式から第１の式を選択すること、のうちの少なくとも一方を実行するように、かつ、上記第１のパラメータおよび／または上記第１の式に従って参照信号を決定するように、上記第２の通信ノードに指示する。
【００１１】
本開示は、参照信号の伝送方法をさらに提供する。上記方法は、シグナリング情報または合意規則に従って、シーケンスグループ番号またはシーケンス番号のうちの少なくとも一方を生成するためのパラメータの取得方式を決定することと、上記取得方式に従って上記パラメータを決定することと、上記パラメータに従って上記シーケンスグループ番号および／または上記シーケンス番号を生成することと、上記シーケンスグループ番号および／または上記シーケンス番号に従って上記参照信号を決定することと、上記参照信号を伝送することとを含む。
【００１２】
本開示は、参照信号の伝送装置をさらに提供する。上記装置は、第１の取得モジュールを含み、上記第１の取得モジュールは以下の情報、すなわち、参照信号が位置する時間単位に含まれる時間領域シンボルの数Ｎ、正の整数Ｍ、１つの時間単位に含まれるＮ個の時間領域シンボルのうちの上記参照信号が位置する時間領域シンボルのインデックス情報、プリセットされたＭ個の時間領域シンボルのうちの上記参照信号が位置する上記時間領域シンボルのインデックス情報、上記参照信号が位置するフレームのフレーム番号、上記参照信号が位置する上記フレームに含まれる時間単位の数Ｂ、または、上記参照信号が位置する帯域幅部分（ＢＷＰ）のサブキャリア間隔に従って取得される時間単位インデックス、のうちの少なくとも１つに従って、上記参照信号のシーケンスグループ番号および／またはシーケンス番号を取得するように構成され、上記装置はさらに、上記シーケンスグループ番号および／または上記シーケンス番号に従って上記参照信号を決定するように構成される第１の決定モジュールと、上記参照信号を伝送するように構成される第１の伝送モジュールとを含む。
【００１３】
Ｍは以下の条件、すなわち、ＭはＮ以下であり、Ａ以上である、を満たす。Ａは、１つの時間単位内の上記参照信号が占有可能な時間領域シンボルの最大数であり、または、Ａは、１つの時間単位内の上記参照信号が占有する時間領域シンボルの数である。
【００１４】
本開示は、参照信号の伝送装置をさらに提供する。上記装置は、シグナリング情報または予め合意した規則に従って、以下の動作、すなわち、複数のパラメータセットから１つのパラメータセットを選択すること、または複数の式から１つの式を選択すること、のうちの少なくとも一方を実行するように構成される実行モジュールと、選択された上記パラメータセットおよび／または選択された上記式に従ってシーケンスグループ番号および／またはシーケンス番号を決定するように構成される第２の決定モジュールと、上記シーケンスグループ番号および／または上記シーケンス番号に従って上記参照信号を決定するように構成される第３の決定モジュールと、上記参照信号を伝送するように構成される第２の伝送モジュールとを含む。
【００１５】
本開示は、参照信号の伝送装置をさらに提供する。上記装置は、シグナリング情報または合意規則に従って、シーケンスグループ番号および／またはシーケンス番号を生成するためのパラメータの取得方式を決定するように構成される第４の決定モジュールと、上記取得方式に従って上記パラメータを決定するように構成される第５の決定モジュールと、上記パラメータに従って上記シーケンスグループ番号および／または上記シーケンス番号を生成するように構成される第１の生成モジュールと、上記シーケンスグループ番号および／または上記シーケンス番号に従って上記参照信号を決定するように構成される第６の決定モジュールと、上記参照信号を伝送するように構成される第３の伝送モジュールとを含む。
【００１６】
本開示は、記憶媒体をさらに提供する。上記記憶媒体は、実行されると上述のいずれかの方法を行なうプログラムを格納している。
【００１７】
本開示は、プロセッサをさらに提供する。上記プロセッサは、実行されると上述のいずれかの方法を行なうプログラムを実行するように構成される。
【図面の簡単な説明】
【００１８】
【図１】一実施形態に係る参照信号の伝送方法の概略フローチャートの図である。
【図２】一実施形態に係るスロット内のＳＲＳリソース１が占有する時間領域シンボル位置の概略図である。
【図３】一実施形態に係るスロット内のＳＲＳリソース２が占有する時間領域シンボル位置の概略図である。
【図４】一実施形態に係るスロット内のＳＲＳリソース３が占有する時間領域シンボル位置の概略図である。
【図５】一実施形態に係るスロット内のＳＲＳリソース４が占有する時間領域シンボル位置の概略図である。
【図６】一実施形態に係る４０スロットを含むフレームの概略図である。
【図７】一実施形態に係る異なるスロットシリアル番号に対応する異なるＢＷＰの概略図である。
【発明を実施するための形態】
【００１９】
詳細な説明
本開示の実施形態は、移動通信ネットワーク（第５世代（５Ｇ）移動通信ネットワークを含むがこれに限定されない）を提供する。上記ネットワークのネットワークアーキテクチャは、ネットワーク側装置（基地局など）および端末を含み得る。実施形態は、上記ネットワークアーキテクチャ上で実行可能な情報伝送方法を提供する。実施形態において提供される上述の参照信号の伝送方法の動作環境は、上記ネットワークアーキテクチャに限定されない。
【００２０】
本開示の実施形態において提供される方法は、端末または基地局側によって実行され得る。端末および基地局側の両方が、本開示において提供される方法を実行してもよい。
【００２１】
本開示に記載の時間単位は、スロット、またはサブフレーム、または第１のサブキャリア間隔の時間領域シンボルである。第１のサブキャリア間隔の時間領域シンボルは、Ｑ個の第２のサブキャリア時間領域シンボルを含む。Ｑは１以上の正の整数である。時間単位として別の時間単位が提供されてもよい。
【００２２】
実施形態１
本開示の一実施形態は、参照信号の伝送方法を提供する。図１を参照して、本実施形態が提供する方法はステップ１１０、１２０および１３０を含む。
【００２３】
ステップ１１０において、以下の情報、すなわち、参照信号が位置する時間単位に含まれる時間領域シンボルの数Ｎ、正の整数Ｍ、１つの時間単位に含まれるＮ個の時間領域シンボルのうちの参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、参照信号が位置するフレームに含まれる時間単位の数Ｂ、または参照信号が位置するＢＷＰのサブキャリア間隔に従って取得される時間単位インデックス、のうちの少なくとも１つに従って、参照信号のシーケンスグループ番号および／またはシーケンス番号を取得する。
【００２４】
本実施形態において、Ｍは以下の条件、すなわち、ＭはＮ以下であり、Ａ以上である、を満たす。Ａは、１つの時間単位内の参照信号が占有可能な時間領域シンボルの最大数であり、または、Ａは、１つの時間単位内の参照信号が占有する時間領域シンボルの数である。本実施形態において、参照信号が測定参照信号である場合、参照信号はＳＲＳリソースなどの測定参照信号リソースを指す。
【００２５】
ステップ１２０において、シーケンスグループ番号および／またはシーケンス番号に従って参照信号を決定する。
【００２６】
ステップ１３０において、参照信号を伝送する。
本実施形態において、参照信号の伝送は参照信号の送信または受信を含み得る。
【００２７】
本実施形態において、ステップ１１０、ステップ１２０、およびステップ１３０の実行順序は交換可能であり得、すなわち、ステップ１１０、ステップ１２０、およびステップ１３０の順序は限定されない。
【００２８】
上記ステップを通じて、実施形態において記録された情報のうちの少なくとも１つに従って参照信号のシーケンスグループ番号および／またはシーケンス番号を取得し、シーケンスグループ番号および／またはシーケンス番号に従って参照信号を決定し、参照信号を伝送する。したがって、シーケンスグループ番号および／またはシーケンス番号が変化する新たな無線システムに参照信号の決定方式を適用できないという既存の技術における問題が解決し、参照信号を決定する、新たな無線システムに適用可能な方式が提供され、シーケンスグループ番号および／またはシーケンス番号が変化する新たな無線システムのための要件を満たすことができる。
【００２９】
一実施形態において、Ｍは以下の情報、すなわち、１つの時間単位内の参照信号が占有可能な時間領域シンボルセットに含まれる時間領域シンボルの数、１つの時間単位内の参照信号が占有する時間領域シンボルの数の最大値、または、１つの時間単位内の参照信号が占有可能な時間領域シンボルセット内の最大インデックスを有する時間領域シンボルと最小インデックスを有する時間領域シンボルとの間の距離、のうちの１つに従って決定される。インデックスは、時間単位に含まれる時間領域シンボルセット内の時間領域シンボルのインデックスである。
【００３０】
一実施形態において、Ｎおよび／またはＭは、以下の方式、すなわち、Ｎおよび／またはＭは受信したシグナリング情報で搬送される、または、Ｎおよび／またはＭは予め合意されている、のうちの一方で決定される。
【００３１】
一実施形態において、シーケンスグループ番号および／またはシーケンス番号に従って参照信号を決定するステップは、以下の方式、すなわち、
【００３２】
【数１】
2021508219.tif 000003
【００３３】
によって参照信号を決定することを含む。
ここで、ｕはシーケンスグループ番号であり、
【００３４】
【数２】
2021508219.tif 000004
【００３５】
は参照信号であり、
【００３６】
【数３】
2021508219.tif 000005
【００３７】
は参照信号の長さであり、δはインターリーブ周波数分割多元接続（ＩＦＤＭＡ）のコーム（comb）レベルの総数であり、またはδは０であり、ωは｛０，１｝に属する。
【００３８】
【数４】
2021508219.tif 000006
【００３９】
が予め定められた閾値よりも大きいという条件では、
【００４０】
【数５】
2021508219.tif 000007
【００４１】
である。ｖはシーケンス番号であって｛０，１｝に属し、０≦α≦２πであり、
【００４２】
【数６】
2021508219.tif 000008
【００４３】
は
【００４４】
【数７】
2021508219.tif 000009
【００４５】
未満の最大素数である。
【００４６】
【数８】
2021508219.tif 000010
【００４７】
が予め定められた閾値以下であるという条件では、
【００４８】
【数９】
2021508219.tif 000011
【００４９】
である。ここで、φ（ｎ）はシーケンスグループ番号ｕに従ってプリセットテーブルを検索することにより得られ、ｖは０である。
【００５０】
本実施形態において、ＩＦＤＭＡのコームレベルの総数について、たとえば、参照信号が直交周波数分割多重化（ＯＦＤＭ）においてｂ個のリソース要素（ＲＥ）ごとに１つのＲＥを占有する場合は、コームレベルの総数はｂである。
【００５１】
一実施形態において、１つの時間単位に含まれる時間領域シンボルセット内の参照信号が位置する時間領域シンボルのインデックス情報は、時系列に後ろから前に順次増大する。インデックスは、逆の順序での番号付けと同様に、終端位置から番号付けられてもよい。
【００５２】
一実施形態において、参照信号のシーケンスグループ番号は以下の方式、すなわち、シーケンスグループ番号＝（ｆｇｈ（ｘ）＋ｆｓｓ）ｍｏｄ  Ｃによって取得されるか、またはシーケンスグループ番号ｕはｆｇｈ（ｘ）に従って取得される。
【００５３】
ここで、ｆｇｈ（ｘ）はｘに関する関数であり、ｘは上記情報のうちの少なくとも１つを含み、Ｃはシーケンスグループの総数であり、ｆｓｓは合意規則に従っておよび／または受信したシグナリング情報に含まれるパラメータに従って得られる。
【００５４】
本実施形態において、ｘに含まれる情報のうちの少なくとも１つは、ステップ１においてシーケンス番号を決定するために用いられる関連情報である。
【００５５】
一実施形態において、
【００５６】
【数１０】
2021508219.tif 000012
【００５７】
である。
ここで、ｈ（ｘ）はｘに関する関数である。ｘは上記情報のうちの少なくとも１つを含み、および／またはｘは１フレーム内の時間単位の時間単位インデックスを含む。Ｄは８以上の整数であり、ｃ（ｚ）はランダムシーケンス関数ｃ（）が生成するシーケンス内のｚ番目の値であり、ｚは非負整数である。
【００５８】
本実施形態において、ｘに含まれる情報のうちの少なくとも１つは、ステップ１においてシーケンスグループ番号を決定するために用いられる関連情報である。ｘは、１フレーム内の参照信号が位置する時間単位の時間単位インデックスをさらに含んでもよい。
【００５９】
一実施形態において、以下の特徴、すなわち、Ｄは受信したシグナリング情報で搬送されること、ｃ（）は擬似ランダムのランダムシーケンス生成関数であること、Ｃの値が３０よりも大きいという条件では、Ｄは８よりも大きいこと、
【００６０】
【数１１】
2021508219.tif 000013
【００６１】
【数１２】
2021508219.tif 000014
【００６２】
【数１３】
2021508219.tif 000015
【００６３】
のうちの少なくとも１つが満たされる。
一実施形態において、ｈ（ｘ）は以下の式、すなわち、
【００６４】
【数１４】
2021508219.tif 000016
【００６５】
のうちの１つを満たす。
ここで、ｌ１は、プリセットされたＭ個の時間領域シンボルを含むセット内の参照信号が位置する時間領域シンボルのインデックス情報であり、０≦ｌ１＜Ｍであり、ｌ２は、１つの時間単位に含まれるＮ個の時間領域シンボルのうちの参照信号が位置する時間領域シンボルのインデックス情報であり、０≦ｌ２＜Ｎであり、ｎ′ｆ＝ｎｆまたはｎ′ｆ＝ｎｆｍｏｄ（Ｅ）である。ここで、ｎｆは参照信号が位置するフレームのフレーム番号であり、Ｅは予め定められた値であり、ｎｓは、参照信号が位置するＢＷＰのサブキャリア間隔に従って取得される時間単位インデックスであり、または、ｎｓは、１フレーム内の参照信号が位置する時間単位のインデックスである。
【００６６】
一実施形態において、参照信号は、測定参照信号、復調参照信号、または制御チャネル周波数領域拡散シーケンス、のうちの少なくとも１つを含む。
【００６７】
一実施形態において、情報に従ってシーケンス番号を取得するステップは、シーケンスホッピングの場合、シーケンス番号ｖがｖ＝ｃ（ｚ１）を満たすことを含む。ここで、ｚ１は情報のうちの少なくとも１つに従って得られ、ｃ（ｚ）はランダムシーケンス関数ｃ（）が生成するシーケンス内のｚ番目の値であり、ｚは非負整数である。
【００６８】
一実施形態において、ｚ１は以下の式、すなわち、
【００６９】
【数１５】
2021508219.tif 000017
【００７０】
のうちの１つに従って得られる。
ｌ１は、プリセットされたＭ個の時間領域シンボルを含むセット内の参照信号が位置する時間領域シンボルのインデックス情報であり、０≦ｌ１＜Ｍであり、ｌ２は、１つの時間単位に含まれるＮ個の時間領域シンボルのうちの参照信号が位置する時間領域シンボルのインデックス情報であり、０≦ｌ２＜Ｎであり、ｎ′ｆ＝ｎｆまたはｎ′ｆ＝ｎｆｍｏｄ（Ｅ）である。ｎｆは参照信号が位置するフレームのフレーム番号であり、Ｅは予め定められた値であり、ｎｓは、参照信号が位置するＢＷＰのサブキャリア間隔に従って取得される時間単位インデックスであり、または、ｎｓは、１フレーム内の参照信号が位置する時間単位のインデックスである。
【００７１】
本開示の別の実施形態は、参照信号の伝送方法をさらに提供する。上記方法は以下に記載するステップを含む。
【００７２】
ステップ１において、シグナリング情報または予め合意した規則に従って、以下の動作、すなわち、複数のパラメータセットから１つのパラメータセットを選択すること、または複数の式から１つの式を選択すること、のうちの少なくとも一方を実行する。
【００７３】
ステップ２において、選択されたパラメータセットおよび／または選択された式に従ってシーケンスグループ番号および／またはシーケンス番号を決定する。
【００７４】
ステップ３において、シーケンスグループ番号および／またはシーケンス番号に従って参照信号を決定する。
【００７５】
ステップ４において、参照信号を伝送する。伝送は送信または受信を含む。
一実施形態において、ステップ１、ステップ２、ステップ３、およびステップ４の実行順序は交換可能であり得、すなわち、解決策の実現にあたってステップ１、ステップ２、ステップ３、およびステップ４の順序は限定されない。
【００７６】
上記解決策により、シーケンスグループ番号および／またはシーケンス番号が変化する新たな無線システムに参照信号の決定方式を適用できないという既存の技術における問題が解決し、参照信号を決定する、新たな無線システムに適用可能な方式が提供され、シーケンスグループ番号および／またはシーケンス番号が変化する新たな無線システムのための要件を満たすことができる。
【００７７】
一実施形態において、複数のパラメータセットは、少なくとも第１のパラメータセットおよび第２のパラメータセットを含む。
【００７８】
一実施形態において、第１のパラメータセットは以下のパラメータ、すなわち、１つの時間単位内の参照信号が占有する時間領域シンボルの数Ｌ、Ｌ個の時間領域シンボルのうちの参照信号が占有する時間領域シンボルのインデックス情報、または参照信号が位置するＢＷＰのサブキャリア間隔に従って取得される時間単位インデックス、のうちの少なくとも１つを含む。
【００７９】
第２のパラメータセットは以下のパラメータ、すなわち、参照信号が位置する時間単位に含まれる時間領域シンボルの数Ｎ、正の整数Ｍ、１つの時間単位内の参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、参照信号が位置するフレームに含まれる時間単位の数Ｂ、または参照信号が位置するＢＷＰのサブキャリア間隔に従って取得される時間単位インデックス、のうちの少なくとも１つを含む。
【００８０】
本実施形態において、上記パラメータセットは少なくとも１つのパラメータを含む。
一実施形態において、複数のパラメータセットは、少なくとも第３のパラメータセットおよび第４のパラメータセットを含む。第３のパラメータセットは時間領域シンボルインデックス情報を含み、第４のパラメータセットは時間領域シンボルインデックス情報を含まない。
【００８１】
一実施形態において、Ｎおよび／またはＭは、以下の方式、すなわち、Ｎおよび／またはＭは受信したシグナリング情報で搬送される、または、Ｎおよび／またはＭは予め合意されている、のうちの一方に従って決定される。
【００８２】
一実施形態において、シーケンスグループ番号および／またはシーケンス番号に従って参照信号を決定するステップは、以下の方式、すなわち、
【００８３】
【数１６】
2021508219.tif 000018
【００８４】
で参照信号を決定することを含む。
ここで、ｕはシーケンスグループ番号であり、
【００８５】
【数１７】
2021508219.tif 000019
【００８６】
は参照信号であり、
【００８７】
【数１８】
2021508219.tif 000020
【００８８】
は参照信号の長さであり、δはＩＦＤＭＡのコームレベルの総数であり、またはｖは０であり、ωは｛０，１｝に属する。
【００８９】
【数１９】
2021508219.tif 000021
【００９０】
が予め定められた閾値よりも大きいという条件では、
【００９１】
【数２０】
2021508219.tif 000022
【００９２】
である。ｖはシーケンス番号であって｛０，１｝に属し、０≦α≦２πであり、
【００９３】
【数２１】
2021508219.tif 000023
【００９４】
は
【００９５】
【数２２】
2021508219.tif 000024
【００９６】
未満の最大素数である。
【００９７】
【数２３】
2021508219.tif 000025
【００９８】
が予め定められた閾値以下であるという条件では、
【００９９】
【数２４】
2021508219.tif 000026
【０１００】
である。φ（ｎ）はシーケンスグループ番号ｕに従ってプリセットテーブルを検索することにより得られ、ｖは０である。
【０１０１】
一実施形態において、参照信号のシーケンスグループ番号は以下の方式、すなわち、シーケンスグループ番号ｕ＝（ｆｇｈ（ｘ）＋ｆｓｓ）ｍｏｄ  Ｃで取得されるか、またはシーケンスグループ番号ｕはｆｇｈ（ｘ）に従って取得される。
【０１０２】
ここで、ｆｇｈ（ｘ）はｘに関する関数であり、ｘは上記情報のうちの少なくとも１つを含み、Ｃはシーケンスグループの総数であり、ｆｓｓは合意規則に従っておよび／または受信したシグナリング情報に含まれるパラメータに従って得られる。
【０１０３】
一実施形態において、
【０１０４】
【数２５】
2021508219.tif 000027
【０１０５】
である。
ここで、ｈ（ｘ）はｘに関する関数である。ｘは上記情報のうちの少なくとも１つを含み、および／またはｘは１フレーム内の時間単位のインデックスを含む。Ｄは８以上の整数であり、ｃ（ｚ）はランダムシーケンス関数ｃ（）が生成するシーケンス内のｚ番目の値であり、ｚは非負整数である。
【０１０６】
一実施形態において、以下の特徴のうちの少なくとも１つが上述の実施形態において満たされる。Ｄは受信したシグナリング情報で搬送され、ｃ（）は擬似ランダムのランダムシーケンス生成関数である。Ｃの値が３０よりも大きいという条件では、Ｄは８よりも大きく、
【０１０７】
【数２６】
2021508219.tif 000028
【０１０８】
【数２７】
2021508219.tif 000029
【０１０９】
【数２８】
2021508219.tif 000030
【０１１０】
一実施形態において、ｈ（ｘ）は以下の式、すなわち、
【０１１１】
【数２９】
2021508219.tif 000031
【０１１２】
のうちの１つを満たす。
ここで、ｌ１は、プリセットされたＭ個の時間領域シンボルを含むセット内の参照信号が位置する時間領域シンボルのインデックス情報であり、ｌ２は、１つの時間単位に含まれるＮ個の時間領域シンボルのうちの参照信号が位置する時間領域シンボルのインデックス情報であり、ｎ′ｆ＝ｎｆまたはｎ′ｆ＝ｎｆｍｏｄ（Ｅ）である。ｎｆは参照信号が位置するフレームのフレーム番号であり、Ｅは予め定められた値であり、ｎｓは、参照信号が位置するＢＷＰのサブキャリア間隔に従って取得される時間単位インデックスであり、または、ｎｓは、１フレーム内の参照信号が位置する時間単位のインデックスである。
【０１１３】
一実施形態において、上記式はシーケンスグループ番号および／またはシーケンス番号のホッピング規則を記述するために用いられる。
【０１１４】
一実施形態において、シーケンスグループ番号のホッピング式は、
【０１１５】
【数３０】
2021508219.tif 000032
【０１１６】
のうちの少なくとも１つを含む。シーケンス番号ｖのホッピング式はｖ＝ｃ（ｚ１）を満たす。ｚ１は以下の式、すなわち、
【０１１７】
【数３１】
2021508219.tif 000033
【０１１８】
のうちの１つに従って取得される。
ここで、ｌ１は、プリセットされたＭ個の時間領域シンボルを含むセット内の参照信号が位置する時間領域シンボルのインデックス情報であり、ｌ２は、１つの時間単位に含まれるＮ個の時間領域シンボルのうちの参照信号が位置する時間領域シンボルのインデックス情報であり、ｎ′ｆ＝ｎｆまたはｎ′ｆ＝ｎｆｍｏｄ（Ｅ）である。ｎｆは参照信号が位置するフレームのフレーム番号であり、Ｅは予め定められた値であり、Ｂは参照信号が位置するフレームに含まれる時間単位の数であり、ｎｓは、参照信号が位置するＢＷＰのサブキャリア間隔に従って取得される時間単位インデックスであり、または、ｎｓは、１フレーム内の参照信号が位置する時間単位のインデックスである。
【０１１９】
シーケンスグループ番号ｕはｕ＝（ｆｇｈ（ｘ）＋ｆｓｓ）ｍｏｄ  Ｃを満たし、
【０１２０】
【数３２】
2021508219.tif 000034
【０１２１】
であり、ｆｇｈ（ｘ）はｘに関する関数であり、ｘは上記情報のうちの少なくとも１つを含み、Ｃはシーケンスグループの総数である。Ｄは８以上の整数である。ｃ（ｚ）はランダムシーケンス関数ｃ（）が生成するランダムシーケンス内のｚ番目の値であり、ｚは非負整数である。ｈ（ｘ）はｘに関する関数であり、ｘは上記情報のうちの少なくとも１つを含み、および／またはｘはフレーム内の時間単位のインデックスを含む。
【０１２２】
一実施形態において、パラメータに従ってシーケンス番号を取得するステップは、シーケンスホッピングの場合、シーケンス番号ｖがｖ＝ｃ（ｚ１）を満たすことを含む。ｚ１はパラメータに従って取得され、ｃ（ｚ）はランダムシーケンス関数ｃ（）が生成するシーケンス内のｚ番目の値であり、ｚは非負整数である。
【０１２３】
一実施形態において、ｚ１は以下の式、すなわち、
【０１２４】
【数３３】
2021508219.tif 000035
【０１２５】
のうちの１つに従って取得される。
ｌ１は、プリセットされたＭ個の時間領域シンボルを含むセット内の参照信号が位置する時間領域シンボルのインデックス情報であり、０≦ｌ１＜Ｍであり、ｌ２は、１つの時間単位に含まれるＮ個の時間領域シンボルのうちの参照信号が位置する時間領域シンボルのインデックス情報であり、０≦ｌ２＜Ｎであり、ｎ′ｆ＝ｎｆまたはｎ′ｆ＝ｎｆｍｏｄ（Ｅ）である。ｎｆは参照信号が位置するフレームのフレーム番号であり、Ｅは予め定められた値であり、ｎｓは、参照信号が位置するＢＷＰのサブキャリア間隔に従って取得される時間単位インデックスであり、または、ｎｓは、１フレーム内の参照信号が位置する時間単位のインデックスである。
【０１２６】
本開示の別の実施形態は、シグナリングの送信方法をさらに提供する。上記方法は基地局側に適用され得るが、必ずしもそうであるとは限らない。上記方法は以下に記載するステップを含む。
【０１２７】
ステップ１において、シグナリング情報を第２の通信ノードに送信する。シグナリング情報を用いて、以下の動作、すなわち、少なくとも１つのパラメータセットから第１のパラメータセットを選択すること、または少なくとも１つの式から第１の式を選択すること、のうちの少なくとも一方を実行するように、かつ、第１のパラメータおよび／または第１の式に従って参照信号を決定するように、第２の通信ノードに指示する。
【０１２８】
本開示の別の実施形態は、参照信号の伝送方法をさらに提供する。上記方法は以下に記載するステップを含む。
【０１２９】
ステップ１において、シグナリング情報または合意規則に従って、シーケンスグループ番号および／またはシーケンス番号を生成するためのパラメータの取得方式を決定する。
【０１３０】
ステップ２において、取得方式に従ってパラメータを決定する。
ステップ３において、パラメータに従ってシーケンスグループ番号および／またはシーケンス番号を生成する。
【０１３１】
ステップ４において、シーケンスグループ番号および／またはシーケンス番号に従って参照信号を決定する。
【０１３２】
ステップ５において、参照信号を伝送する。伝送は、参照信号の送信または受信を含み得る。
【０１３３】
一実施形態において、ステップ１、ステップ２、ステップ３、ステップ４またはステップ５の実行順序は交換可能であり、すなわち、解決策の実現にあたってステップ１、ステップ２、ステップ３、ステップ４およびステップ５の順序は限定されない。
【０１３４】
上記解決策により、参照信号を決定する方式を新たな無線システムにおけるシーケンスグループ番号および／またはシーケンス番号の変化に適用できないという既存の技術における問題が解決し、参照信号を決定する、新たな無線システムに適用可能な方式が提供され、新たな無線システムにおけるシーケンスグループ番号および／またはシーケンス番号の変化の要件を満たすことができる。
【０１３５】
一実施形態において、シーケンスグループ番号および／またはシーケンス番号を決定するためのパラメータは、時間領域シンボルインデックス、または時間領域シンボルの数、のうちの少なくとも一方を含む。
【０１３６】
一実施形態において、時間領域シンボルインデックスの取得方式は、以下の取得方式のうちの少なくとも２つを含む。時間領域シンボルインデックスは、Ｌ個の時間領域シンボルのうちの参照信号が位置する時間領域シンボルのインデックスである。Ｌは、１つの時間単位内の参照信号が占有する時間領域シンボルの数である。
【０１３７】
時間領域シンボルインデックスは、Ｎ個の時間領域シンボルのうちの参照信号が位置する時間領域シンボルのインデックスである。Ｎは、参照信号が位置する時間単位に含まれる時間領域シンボルの数である。
【０１３８】
時間領域シンボルインデックスは、Ｍ個の時間領域シンボルのうちの参照信号が位置する時間領域シンボルのインデックスである。Ｍは、１つの時間単位内の参照信号が占有可能な時間領域シンボルセットに含まれる時間領域シンボルの数である。
【０１３９】
一実施形態において、時間領域シンボルの数の取得方式は、以下の取得方式のうちの少なくとも２つを含む。
【０１４０】
時間領域シンボルの数は、１つの時間単位内の参照信号が占有する時間領域シンボルの数である。本実施形態において、参照信号が測定参照信号である場合、参照信号は参照信号リソースを指す。
【０１４１】
時間領域シンボルの数は、参照信号が位置する時間単位に含まれる時間領域シンボルの数である。
【０１４２】
時間領域シンボルの数は、１つの時間単位内の参照信号が占有可能な時間領域シンボルセットに含まれる時間領域シンボルの数である。
【０１４３】
例示的な実施形態とともに以下に説明を行なう。
例示的な実施形態１
本実施形態において、アップリンクサウンディング参照信号（ＳＲＳ）の長さが予め定められた閾値よりも大きい場合は、Ｚａｄｏｆｆ−Ｃｈｕ（ＺＣ）シーケンスをＳＲＳに使用し、ＳＲＳのシーケンス長が予め定められた閾値以下である場合は、予め定められたシーケンスを使用する。
【０１４４】
本実施形態において、ＬＴＥでは、ＳＲＳ参照信号
【０１４５】
【数３４】
2021508219.tif 000036
【０１４６】
は以下の式
【０１４７】
【数３５】
2021508219.tif 000037
【０１４８】
により取得される。
【０１４９】
【数３６】
2021508219.tif 000038
【０１５０】
はＳＲＳのシーケンス長であり、ｍはＳＲＳが占有する物理リソースブロック（ＰＲＢ）の数であり、δはＩＦＤＭＡ方式におけるコームレベルの総数であり、αは循環シフトパラメータであり、ωは｛０，１｝に属するかまたは０に固定される。
【０１５１】
ＳＲＳのシーケンス長
【０１５２】
【数３７】
2021508219.tif 000039
【０１５３】
が
【０１５４】
【数３８】
2021508219.tif 000040
【０１５５】
よりも大きい場合、
【０１５６】
【数３９】
2021508219.tif 000041
【０１５７】
である。
ｖはシーケンス番号であって｛０，１｝に属し、０≦α≦２πであり、
【０１５８】
【数４０】
2021508219.tif 000042
【０１５９】
は
【０１６０】
【数４１】
2021508219.tif 000043
【０１６１】
未満の最大素数である。一実施形態において、ＳＲＳが占有するＰＲＢの数が６未満である場合、ｖは０である。ＳＲＳが占有するＰＲＢの数が６以上である場合、ｖは０または１であり得る。
【０１６２】
ＳＲＳのシーケンス長
【０１６３】
【数４２】
2021508219.tif 000044
【０１６４】
が
【０１６５】
【数４３】
2021508219.tif 000045
【０１６６】
以下である場合、
【０１６７】
【数４４】
2021508219.tif 000046
【０１６８】
である。
φ（ｎ）はシーケンスグループ番号ｕに従ってプリセットテーブルを検索することにより得られる。
【０１６９】
ｕはシーケンスグループ番号であり、以下の式によって得られる。
【０１７０】
【数４５】
2021508219.tif 000047
【０１７１】
ｃ（ｚ）は、擬似ランダムのランダムシーケンスにおけるｚ番目の値である。初期化値が与えられると、ランダムシーケンスを生成することができる。シーケンス生成における初期化値は
【０１７２】
【数４６】
2021508219.tif 000048
【０１７３】
長さ３１の擬似ランダムのランダムシーケンスは以下の方式で生成される。
【０１７４】
【数４７】
2021508219.tif 000049
【０１７５】
式（２）から分かるように、シーケンスグループ番号ホッピングが有効である場合、シーケンスグループ番号の取得情報はサブフレームシリアル番号ｎｓを含む。ＮＲにおける１つのＳＲＳリソースは、１スロット内に２つ以上の時間領域シンボルを含み得る。それによって、上記シーケンスグループ番号の取得が改善され得る。シーケンスグループ番号および／またはシーケンス番号は、以下の情報のうちの少なくとも１つに従って得られる。上記情報は、時間単位に含まれる時間領域シンボルの数Ｎ、正の整数Ｍ、１つの時間単位に含まれるＮ個の時間領域シンボルのうちの参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、または１フレームに含まれる時間単位の数Ｂである。ＭはＮ以下の正の整数であり、Ａ以上である。Ａは、１つの時間単位内の参照信号が占有可能な時間領域シンボルの最大数であり、または、Ａは、１つの時間単位内の参照信号が占有する時間領域シンボルの数である。
【０１７６】
たとえば、ＳＲＳリソースがスロット内に占有し得る時間領域シンボルの数は｛１，２，４｝である。図３は一実施形態に係るスロット内のＳＲＳリソース２が占有する時間領域シンボル位置の概略図である。図３に示すように、ＳＲＳリソース２は１スロット内に２つの時間領域シンボルを占有する。Ａが２である場合は、Ａは１スロット内にＳＲＳリソース２が占有する時間領域シンボルの数である。またはＡが４である場合は、Ａは１スロット内にＳＲＳが占有可能な時間領域シンボルの最大数である。
【０１７７】
一実施形態において、シーケンス番号は以下の式を用いることにより取得される。
【０１７８】
【数４８】
2021508219.tif 000050
【０１７９】
またはグループホッピングが有効である場合は、
【０１８０】
【数４９】
2021508219.tif 000051
【０１８１】
である。Ｃはシーケンスグループの総数であり、Ｄは以下の４つの特徴のうちの少なくとも１つを満たす。
【０１８２】
特徴１：Ｃの値が３０よりも大きいという条件では、Ｄは８よりも大きい。
特徴２：
【０１８３】
【数５０】
2021508219.tif 000052
【０１８４】
特徴３：
【０１８５】
【数５１】
2021508219.tif 000053
【０１８６】
特徴４：
【０１８７】
【数５２】
2021508219.tif 000054
【０１８８】
ｈ（）は関数であって以下の式のうちの１つであってもよく、またはシーケンス番号の取得方式におけるｈ（）は以下の式のうちの２つ以上によって形成される式集合内の１つの式であることがシグナリングによって示される。たとえば、式集合が｛（３−１），（３−２）｝である場合は、ｈ（）は式（３−１）または式（３−２）のうちの一方であることがシグナリングによって示される。または式集合が｛（３−１），（３−２），（３−３），（３−４）｝である場合は、ｈ（）は式（３−１）、式（３−２）、式（３−３）、または式（３−４）のうちの１つであることがシグナリングによって示される。
【０１８９】
【数５３】
2021508219.tif 000055
【０１９０】
またはシーケンスホッピングが有効である場合は、シーケンス番号ｖ＝ｃ（ｚ１）である。ｚ１は以下の式のうちの１つを用いることにより得られる。
【０１９１】
【数５４】
2021508219.tif 000056
【０１９２】
式｛（３−２），（３−４），（３−２Ｂ），（３−４Ｂ）｝において、Ｂは１フレームに含まれるスロットの数であり、ｎ′ｆ＝ｎｆまたはｎ′ｆ＝ｎｆｍｏｄ（Ｅ）である。ｎｆは参照信号が位置するフレームのフレーム番号であるか、またはフレームインデックスとも称され得る。図６は一実施形態に係る４０スロットを含むフレームの概略図である。図６に示すように、１フレームが１０ｍｓに対応し、１フレームが４０スロットを含む場合、Ｂは４０に等しい。Ｅは予め定められた値である。一実施形態において、ＥはＣの整数倍である。
【０１９３】
式集合｛（３−１），（３−２），（３−１Ｂ），（３−２Ｂ）｝において、Ｍは、ＳＲＳがスロット内に占有し得る時間領域シンボルセットに含まれる時間領域シンボルの数である。図２〜図５に示すように、ＳＲＳが占有し得る時間領域シンボルは１スロットの最後の６つの時間領域シンボルであり、１スロット内の１つのＳＲＳリソースが占有する時間領域シンボルの数は｛１，２，４｝に属する。その場合、Ｍ＝６である。ｌ１は、プリセットされたＭ個の時間領域シンボルのうちのＳＲＳリソースが占有する時間領域シンボルの相対インデックスである。図２〜図５に示すように、ｌ１は、１スロット内の最後の６つの時間領域シンボルのうちのＳＲＳリソースが占有する時間領域シンボルの相対インデックスである。図２に示すように、図２は一実施形態に係るスロット内のＳＲＳリソース１が占有する時間領域シンボル位置の概略図である。ＳＲＳリソース１はスロット内の４つの時間領域シンボル｛９，１０，１１，１２｝を占有し、それに対応してｌ１＝｛１，２，３，４｝である。図３に示すように、ＳＲＳリソース２はスロット内の２つの時間領域シンボル｛１１，１２｝を占有し、それに対応してｌ１＝｛３，４｝である。図４は一実施形態に係るスロット内のＳＲＳリソース３が占有する時間領域シンボル位置の概略図である。図４に示すように、ＳＲＳリソース３はスロット内の２つの時間領域シンボル｛１２，１３｝を占有し、それに対応してｌ１＝｛４，５｝である。図５は一実施形態に係るスロット内のＳＲＳリソース４が占有する時間領域シンボル位置の概略図である。図５に示すように、ＳＲＳリソース４はスロット内の１つの時間領域シンボル｛１２｝を占有し、それに対応してｌ１＝｛４｝である。
【０１９４】
Ｍ個の時間領域シンボルの上述のシンボルインデックスｌ１は、時系列に前から後ろに連続番号が振られ、すなわち、Ｍ個の時間領域シンボルのうちの一番最初の時間領域シンボルのインデックスｌ１は０である。本実施形態は、Ｍ個の時間領域シンボルのシンボルインデックスｌ１が時系列に後ろから前に連続番号が振られること、すなわち、Ｍ個の時間領域シンボルのうちの一番最後の時間領域シンボルのインデックスｌ１が０に対応することを除外しない。図２〜図５に示すように、ｌ１は、スロット内の最後の６つの時間領域シンボルのうちのＳＲＳリソースが占有する時間領域シンボルの相対インデックスである。図２に示すように、ＳＲＳリソース１はスロット内の４つの時間領域シンボル｛９，１０，１１，１２｝を占有し、それに対応してｌ１＝｛４，３，２，１｝である。図３に示すように、ＳＲＳリソース２はスロット内の２つの時間領域シンボル｛１１，１２｝を占有し、それに対応してｌ１＝｛２，１｝である。図４に示すように、ＳＲＳリソース３はスロット内の２つの時間領域シンボル｛１２，１３｝を占有し、それに対応してｌ１＝｛１，０｝である。図４に示すように、ＳＲＳリソース３はスロット内の１つの時間領域シンボル｛１２｝を占有し、それに対応してｌ１＝｛１｝である。
【０１９５】
式集合｛（３−３），（３−４），（３−３Ｂ），（３−４Ｂ）｝において、１スロットに含まれる時間領域シンボルの数が１４である場合は、Ｎ＝１４である。図２〜図５に示すように、ＳＲＳが占有し得る時間領域シンボルはスロット内の最後の６つの時間領域シンボルであり、スロット内のＳＲＳリソースが占有する時間領域シンボルの数は｛１，２，４｝に属する。ｌ２は、ＳＲＳリソースが占有する、かつスロット内の時間領域シンボルセットに含まれる時間領域シンボルのインデックス情報である。図２〜図５に示すように、ｌ２は、１４個の時間領域シンボルを含むセット内のＳＲＳリソースが占有する、かつ１スロットに含まれる時間領域シンボルのインデックス情報である。図２に示すように、ＳＲＳリソース１はスロット内の４つの時間領域シンボル｛９，１０，１１，１２｝を占有し、それに対応してｌ２＝｛９，１０，１１，１２｝である。図３に示すように、ＳＲＳリソース２は２つの時間領域シンボル｛１１，１２｝を占有し、それに対応してｌ２＝｛１１，１２｝である。図４に示すように、ＳＲＳリソース３はスロット内の２つの時間領域シンボル｛１２，１３｝を占有し、それに対応してｌ２＝｛１２，１３｝である。図５に示すように、ＳＲＳリソース４はスロット内の１つの時間シンボル｛１２｝を占有し、それに対応してｌ２＝｛１２｝である。
【０１９６】
ｌ２は、スロットに含まれるＮ個の時間領域シンボルのうちのＳＲＳが占有する時間領域シンボルのシンボルインデックスであり、シンボルインデックスは時系列に前から後ろに連続番号が振られ、すなわち、Ｎ個の時間領域シンボルのうちの開始時間領域シンボルのｌ２は０である。本実施形態は、スロットに含まれるＮ個の時間シンボルのシンボルインデックスが時系列に前から後ろに連続番号が振られること、すなわち、スロット内のＮ個の時間領域シンボルのうちの終了時間領域シンボルのｌ２が０に対応することを除外しない。図２に示すように、ＳＲＳリソース１はスロット内の４つの時間領域シンボル｛９，１０，１１，１２｝を占有し、それに対応してｌ２＝｛４，３，２，１｝である。図３に示すように、ＳＲＳリソース２はスロット内の２つの時間領域シンボル｛１１，１２｝を占有し、それに対応してｌ２＝｛２，１｝である。図４に示すように、ＳＲＳリソース３はスロット内の２つの時間領域シンボル｛１２，１３｝を占有し、それに対応してｌ２＝｛１，０｝である。図５に示すように、ＳＲＳリソース３はスロット内の１つの時間領域シンボル｛１２｝を占有し、それに対応してｌ２＝｛１｝である。
【０１９７】
本実施形態において、端末は、シーケンスグループ番号に従ってＳＲＳ参照信号を決定し、ＳＲＳポートを介して参照信号を送信する。
【０１９８】
上記では、アップリンク測定参照信号の参照信号シーケンスの取得を例に取っている。同様に、この方法は、アップリンク復調参照信号の参照信号シーケンスに使用されてもよく、または、アップリンク制御チャネルの周波数領域拡散に用いられるＺＣシーケンスのシーケンスグループ番号に使用されてもよい。詳細の説明はここでは繰返さない。
【０１９９】
本実施形態において、ＮおよびＭはプリセットされた固定値であるが、ＮおよびＭは関数ｈ（）の取得パラメータまたは入力パラメータとも称される。
【０２００】
別の実施形態において、基地局はまた、Ｎおよび／またはＭについての情報を端末に割当ててもよい。
【０２０１】
例示的な実施形態２
本実施形態において、基地局はシグナリング情報を送信する。シグナリング情報はＱ個のパラメータセットについての選択情報を含む。端末は、シグナリング情報が示すパラメータセットに従って参照信号のシーケンスグループ番号および／またはシーケンス番号を取得し、シーケンスグループ番号および／またはシーケンス番号に従って参照信号を取得する。Ｑは１以上の正の整数である。
【０２０２】
たとえば、Ｑ個のパラメータセットは第１のパラメータセットおよび第２のパラメータセットを含む。第１のパラメータセットは以下のパラメータ、すなわち、１つの時間単位内の参照信号が占有する時間領域シンボルの数Ｌ、Ｌ個の時間領域シンボルのうちの参照信号が占有する時間領域シンボルのインデックス情報、または参照信号が位置するＢＷＰに従って取得される時間単位インデックス、のうちの少なくとも１つを含む。参照信号が測定参照信号である場合、１つの時間単位内の参照信号が占有する時間領域シンボルの数Ｌは、１つの時間単位内の測定参照信号リソースが占有する時間領域シンボルの数Ｌである。
【０２０３】
第２のパラメータセットは以下のパラメータ、すなわち、１つの時間単位に含まれる時間領域シンボルの数Ｎ、正の整数Ｍ、１つの時間単位内の参照信号が位置する時間領域シンボルのインデックス情報、プリセットされたＭ個の時間領域シンボルのうちの参照信号が位置する時間領域シンボルのインデックス情報、フレーム番号、フレームに含まれる時間単位の数Ｂ、または参照信号が位置するＢＷＰに従って取得される時間単位インデックス、のうちの少なくとも１つを含む。
【０２０４】
パラメータセットは少なくとも１つのパラメータを含む。
図２〜図５に示すように、スロット内のＳＲＳリソースが占有する時間領域シンボルの数は｛１，２，４｝に属し、ＳＲＳが占有し得る時間領域シンボルはスロット内の最後の６つの時間領域シンボルである。
【０２０５】
第１のパラメータセットでシーケンスグループ番号を取得する場合、シーケンスグループ番号ホッピング（１−０）の式ｈ（）は式（４−１）に示す通りである。
【０２０６】
【数５５】
2021508219.tif 000057
【０２０７】
および／またはシーケンス番号ホッピングが有効である場合、シーケンス番号ｖ＝ｃ（ｚ１）であり、ｚ１は以下の式を用いることにより得られる。
【０２０８】
【数５６】
2021508219.tif 000058
【０２０９】
Ｌは、スロット内のＳＲＳリソースが占有する時間領域シンボルの数であり、ｌ０はスロット内のＳＲＳリソースが占有するＬ個の時間領域シンボルのうちのＳＲＳリソースが占有する時間領域シンボルのインデックス情報である。図２に示すように、ＳＲＳリソース１はスロット内の４つの時間領域シンボル｛９，１０，１１，１２｝を占有し、それに対応してｌ０＝｛０，１，２，３｝およびＬ＝４である。図３に示すように、ＳＲＳリソース２はスロット内の２つの時間領域シンボル｛１１，１２｝を占有し、それに対応してｌ０＝｛０，１｝およびＬ＝２である。図４に示すように、ＳＲＳリソース３はスロット内の２つの時間領域シンボル｛１２，１３｝を占有し、それに対応してｌ０＝｛０，１｝およびＬ＝２である。図５に示すように、ＳＲＳリソース４はスロット内の１つの時間領域シンボル｛１２｝を占有し、それに対応してｌ０＝｛０｝およびＬ＝１である。
【０２１０】
第２のパラメータセットでシーケンスグループ番号を取得する場合、シーケンスグループ番号のホッピング式ｈ（）は式（４−２）〜（４−５）のうちの１つである。
【０２１１】
【数５７】
2021508219.tif 000059
【０２１２】
および／またはシーケンス番号ホッピングが有効である場合、シーケンス番号ｖ＝ｃ（ｚ１）であり、ｚ１は以下の式を用いることにより得られる。
【０２１３】
【数５８】
2021508219.tif 000060
【０２１４】
式集合｛（４−３），（４−５），（４−３Ｂ），（４−５Ｂ）｝において、Ｂは１フレームに含まれるスロットの数であり、ｎ′ｆ＝ｎｆまたはｎ′ｆ＝ｎｆｍｏｄ（Ｅ）である。ｎｆは参照信号が位置するフレームのフレーム番号であるか、またはフレームインデックスとも称され得る。図６は一実施形態に係る４０スロットを含むフレームの概略図である。図６に示すように、１フレームが１０ｍｓに対応し、１フレームが４０スロットを含む場合、Ｂは４０に等しい。Ｅは予め定められた値であり、一実施形態において、ＥはＣの整数倍である。
【０２１５】
式集合｛（４−２），（４−３），（４−２Ｂ），（４−３Ｂ）｝において、Ｍは、ＳＲＳがスロット内に占有し得る時間領域シンボルセットに含まれる時間領域シンボルの数である。図２〜図５に示すように、ＳＲＳは上記スロット内の１スロットの最後の６つの時間領域シンボルを占有し得、上記スロット内のＳＲＳリソースが占有する時間領域シンボルの数は｛１，２，４｝に属する。すなわち、ＳＲＳリソースはスロット内の最後の６つの時間領域シンボルのうちの｛１，２，４｝時間領域シンボルを占有し得、その場合はＭ＝６である。ｌ１は、プリセットされたＭ個の時間領域シンボルのうちのＳＲＳリソースが占有する時間領域シンボルの相対インデックスである。図２〜図５に示すように、ｌ１は、１スロット内の最後の６つの時間領域シンボルのうちのＳＲＳリソースが占有する時間領域シンボルの相対インデックスである。図２に示すように、ＳＲＳリソース１はスロット内の４つの時間領域シンボル｛９，１０，１１，１２｝を占有し、それに対応してｌ１＝｛１，２，３，４｝である。図３に示すように、ＳＲＳリソース２はスロット内の２つの時間領域シンボル｛１１，１２｝を占有し、それに対応してｌ１＝｛３，４｝である。図４に示すように、ＳＲＳリソース３はスロット内の２つの時間領域シンボル｛１２，１３｝を占有し、それに対応してｌ１＝｛４，５｝である。図５に示すように、ＳＲＳリソース４はスロット内の１つの時間領域シンボル｛１２｝を占有し、それに対応してｌ１＝｛４｝である。
【０２１６】
Ｍ個の時間領域シンボルの上述のシンボルインデックスｌ１は、時系列に前から後ろに連続番号が振られ、すなわち、Ｍ個の時間領域シンボルのうちの一番最初の時間領域シンボルのインデックスｌ１は０である。本実施形態は、Ｍ個の時間領域シンボルのシンボルインデックスｌ１が時系列に後ろから前に連続番号が振られること、すなわち、Ｍ個の時間領域シンボルのうちの一番最後の時間領域シンボルのインデックスｌ１が０に対応することを除外しない。図２〜図５に示すように、ｌ１は、スロット内の最後の６つの時間領域シンボルのうちのＳＲＳリソースが占有する時間領域シンボルの相対インデックスである。図２に示すように、ＳＲＳリソース１はスロット内の４つの時間領域シンボル｛９，１０，１１，１２｝を占有し、それに対応してｌ１＝｛４，３，２，１｝である。図３に示すように、ＳＲＳリソース２はスロット内の２つの時間領域シンボル｛１１，１２｝を占有し、それに対応してｌ１＝｛２，１｝である。図４に示すように、ＳＲＳリソース３はスロット内の２つの時間領域シンボル｛１２，１３｝を占有し、それに対応してｌ１＝｛１，０｝である。図５に示すように、ＳＲＳリソース３はスロット内の１つの時間領域シンボル｛１２｝を占有し、それに対応してｌ１＝｛１｝である。
【０２１７】
式集合｛（４−４），（４−５），（４−４Ｂ），（４−５Ｂ）｝において、１スロットに含まれる時間領域シンボルの数が１４である場合は、Ｎ＝１４であり、または、参照信号が位置するスロット内の時間領域シンボルが１４個である場合は、Ｎ＝１４である。図２〜図５に示すように、ＳＲＳが占有し得る時間領域シンボルはスロット内の最後の６つの時間領域シンボルであり、スロット内のＳＲＳリソースが占有する時間領域シンボルの数は｛１，２，４｝に属する。ｌ２は、ＳＲＳリソースが占有する、かつＮ個の時間領域シンボルを含むセットに含まれる、かつ１スロットに含まれる時間領域シンボルのインデックス情報である。図２〜図５に示すように、ｌ２は、１４個の時間領域シンボルを含むセット内のＳＲＳリソースが占有する、かつ１スロットに含まれる時間領域シンボルのインデックス情報である。図２に示すように、ＳＲＳリソース１はスロット内の４つの時間領域シンボル｛９，１０，１１，１２｝を占有し、それに対応してｌ２＝｛９，１０，１１，１２｝である。図３に示すように、ＳＲＳリソース２はスロット内の２つの時間領域シンボル｛１１，１２｝を占有し、それに対応してｌ２＝｛１１，１２｝である。図４に示すように、ＳＲＳリソース３はスロット内の２つの時間領域シンボル｛１２，１３｝を占有し、それに対応してｌ２＝｛１２，１３｝である。図５に示すように、ＳＲＳリソース４はスロット内の１つの時間領域シンボル｛１２｝を占有し、それに対応してｌ２＝｛１２｝である。
【０２１８】
ｌ２は、スロットに含まれるＮ個の時間領域シンボルのうちのＳＲＳが占有する時間領域シンボルのシンボルインデックスであり、シンボルインデックスは時系列に前から後ろに連続番号が振られ、すなわち、Ｎ個の時間領域シンボルのうちの開始時間領域シンボルのｌ２は０である。本実施形態は、スロットに含まれるＮ個の時間シンボルのシンボルインデックスｌ２が時系列に前から後ろに連続番号が振られること、すなわち、スロット内のＮ個の時間領域シンボルのうちの終了時間領域シンボルのｌ２が０に対応することを除外しない。図２に示すように、ＳＲＳリソース１はスロット内の４つの時間領域シンボル｛９，１０，１１，１２｝を占有し、それに対応してｌ２＝｛４，３，２，１｝である。図３に示すように、ＳＲＳリソース２はスロット内の２つの時間領域シンボル｛１１，１２｝を占有し、それに対応してｌ２＝｛２，１｝である。図４に示すように、ＳＲＳリソース３はスロット内の２つの時間領域シンボル｛１２，１３｝を占有し、それに対応してｌ２＝｛１，０｝である。図５に示すように、ＳＲＳリソース３はスロット内の１つの時間領域シンボル｛１２｝を占有し、それに対応してｌ２＝｛１｝である。
【０２１９】
本実施形態において、基地局はまた、シーケンスグループ番号取得式（１−０）のｈ（）を得るために使用する式を示すシグナリング情報を端末に送信してもよい。上記式は、少なくとも式（４−１）と、式集合｛（４−２）〜（４−５）｝のうちの１つとを含む。
【０２２０】
同様に、基地局はまた、シーケンス番号ホッピング式ｖ＝ｃ（ｚ１）のｚ１を得るために使用する式を示すシグナリング情報を端末に送信してもよい。上記式は、少なくとも式（４−１Ｂ）と、式集合｛（４−２Ｂ）〜（４−５Ｂ）｝のうちの１つとを含む。
【０２２１】
別の実施形態において、Ｑ個のパラメータセットは、少なくとも第３のパラメータセットおよび第４のパラメータセットを含む。第３のパラメータセットは時間領域シンボル情報を含み、第４のパラメータセットは時間領域シンボル情報を含まない。
【０２２２】
第４のパラメータセットでシーケンスグループ番号を取得する場合、シーケンスグループ番号取得式のｈ（）は式（４−６）に示す通りである。
【０２２３】
【数５９】
2021508219.tif 000061
【０２２４】
同様に、第４のパラメータセットでシーケンス番号を取得する場合、シーケンス番号ｖ＝ｃ（ｚ１）のｚ１は式（４−６Ｂ）に示す通りである。
【０２２５】
【数６０】
2021508219.tif 000062
【０２２６】
基地局はまた、シーケンス番号ホッピングのために参照される式集合内の１つの式をシグナリングによって通知してもよく、式集合は式（４−１）〜（４−６）のうちのいずれか２つ以上を含み得る。
【０２２７】
同様に、基地局はまた、シーケンス番号ホッピングｖ＝ｃ（ｚ１）のｚ１を求めるために参照される式集合内の１つの式をシグナリングによって通知してもよく、式集合は式（４−１Ｂ）〜（４−６Ｂ）のうちのいずれか２つ以上を含み得る。
【０２２８】
本実施形態におけるパラメータセットはまた、基地局と端末との間で合意した規則を用いることにより、複数のパラメータセットから選択されてもよい。同様に、本実施形態における式はまた、基地局と端末との間で合意した規則を用いることにより、複数の式から選択されてもよい。
【０２２９】
例示的な実施形態３
本実施形態において、アップリンク復調参照信号のシーケンスグループ番号も、上述の例示的な実施形態１および／または例示的な実施形態２に記載の方法を用いることにより取得され得る。
【０２３０】
例示的な実施形態４
本実施形態において、アップリンク制御チャネルの周波数領域拡散のシーケンスグループ番号も、上述の例示的な実施形態１および／または例示的な実施形態２に記載の方法を用いることにより取得され得る。
【０２３１】
たとえば、ＮＲにおける物理アップリンク制御チャネル（ＰＵＣＣＨ）フォーマット１および２では、アップリンク制御情報は
【０２３２】
【数６１】
2021508219.tif 000063
【０２３３】
を用いることにより周波数領域に拡散され、シーケンスグループ番号ｕも、上述の例示的な実施形態１および／または例示的な実施形態２に記載の方法を用いることにより取得され得る。
【０２３４】
例示的な実施形態５
本実施形態において、ｎｓは、１つの無線フレームに含まれるＢ個のスロットのうちの参照信号が位置するスロットのインデックス情報である。参照信号（ＳＲＳなど）が位置するＢＷＰは異なるため、ＢＷＰに対応するサブキャリア間隔が異なり、異なるＢＷＰに対応する１フレームに含まれるスロットの数が異なり、すなわち、Ｂが異なる場合はｎｓが異なる。ｎｓは、ＳＲＳが位置するＢＷＰに基づいて得られる。
【０２３５】
図７は、一実施形態に係る異なるスロットシリアル番号に対応する異なるＢＷＰの概略図である。図７に示すように、ＢＷＰ１内の１つのスロットはＢＷＰ２内の２つのスロットに対応するため、上述の実施形態におけるｎｓは、参照信号が位置するＢＷＰのサブキャリア間隔に従って得られるスロットシリアル番号である。たとえば、フレームが１０ｍｓであり、２０スロットを含む１フレームが、ＢＷＰ１に対応するサブキャリア間隔に従って得られ、４０スロットを含む１フレームが、ＢＷＰ２に対応するサブキャリア間隔に従って得られる。時刻ｔにおいて、参照信号が現在位置するＢＷＰが図７に示すようなＢＷＰ１である場合は、ｎｓ＝ｘであり、参照信号が現在位置するＢＷＰが図７に示すようなＢＷＰ２である場合は、ｎｓ＝２ｘまたはｎｓ＝２ｘ＋１である。
【０２３６】
例示的な実施形態６
本実施形態において、シーケンスグループ番号またはシーケンス番号のパラメータの取得方式はシグナリング情報または合意規則により決定される。
【０２３７】
一実施形態において、シーケンスグループ番号ｕは式（６−１）および（６−２）に従って取得される。
【０２３８】
【数６２】
2021508219.tif 000064
【０２３９】
ここで、ｈ（ｌ５，Ｎ５，ｎｓ）＝ｌ５＋ｎｓ＊Ｎ５である。
またはシーケンス番号ホッピングが有効である場合、シーケンス番号ｖ＝ｃ（ｚ１）であり、ｚ１＝ｌ５＋ｎｓ＊Ｎ５である。
【０２４０】
（ｌ５，Ｎ５）の取得方式はシグナリング情報もしくは合意規則により決定されるか、または（ｌ５，Ｎ５）の意味はシグナリング情報もしくは合意規則により決定される。取得方式は、３つの方式のうちの少なくとも２つを含む。
【０２４１】
方式１：（ｌ５，Ｎ５）＝（ｌ０，Ｌ）。Ｌは、スロット内のＳＲＳリソースが占有する時間領域シンボルの数である。図２に示すように、Ｌ＝４であり、ｌ５はＬ個の時間領域シンボルのうちの参照信号が位置する時間領域シンボルのインデックスであり、０≦ｌ５≦Ｌ−１である。たとえば、図２の参照信号が位置する時間領域シンボル９のｌ５は０である。
【０２４２】
方式２：（ｌ５，Ｎ５）＝（ｌ１，Ｍ）。Ｍは、スロット内のＳＲＳが占有し得る時間領域シンボルセットに含まれる時間領域シンボルの数である。図２に示すように、すべてのユーザのＳＲＳは１スロット内の最後の６つの時間領域シンボルの｛１，２，４｝時間領域シンボルのみを占有し得、その場合はＭ＝６である。ｌ５はＭ個の時間領域シンボルのうちの参照信号が位置する時間領域シンボルのインデックスであり、０≦ｌ５≦Ｍ−１である。たとえば、図２のＳＲＳが位置する時間領域シンボル９のｌ５は１である。
【０２４３】
方式３：（ｌ５，Ｎ５）＝（ｌ２，Ｎ）。Ｎは、ＳＲＳリソースが位置するスロットに含まれる時間領域シンボルの数である。図２に示すように、Ｎ＝１４であり、ｌ５はＬ個の時間領域シンボルのうちの参照信号が位置する時間領域シンボルのインデックスであり、０≦ｌ５≦Ｎ−１である。たとえば、図２の参照信号が位置する時間領域シンボル９のｌ５は９である。
【０２４４】
例示的な実施形態７
本実施形態において、以下の情報、すなわち、参照信号が位置する時間単位に含まれる時間領域シンボルの数Ｎ、正の整数Ｍ、１つの時間単位に含まれるＮ個の時間領域シンボルのうちの参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、参照信号が位置するフレームに含まれる時間単位の数Ｂ、または参照信号が位置するＢＷＰのサブキャリア間隔に従って取得される時間単位インデックス、のうちの少なくとも１つに従って、シーケンス番号が取得される。参照信号はシーケンス番号に従って取得され、参照信号ポートを介して伝送される。
【０２４５】
一実施形態において、参照信号は
【０２４６】
【数６３】
2021508219.tif 000065
【０２４７】
であり、ｖはシーケンス番号であり、ｖは以下の式、すなわち、
【０２４８】
【数６４】
2021508219.tif 000066
【０２４９】
を用いることにより取得される。
ｃ（ｚ１）は擬似ランダムのランダムシーケンスのｚ１番目の値である。擬似ランダムのランダムシーケンスの初期化値は合意規則により得られる。ｚ１の取得式は、以下の式、すなわち、
【０２５０】
【数６５】
2021508219.tif 000067
【０２５１】
のうちの１つであり得る。
ｌ１は、Ｍ個の時間領域シンボルを含むプリセットされたセット内の参照信号が位置する時間領域シンボルのインデックス情報であり、０≦ｌ１＜Ｍである。ｌ２は、１つの時間単位に含まれるＮ個の時間領域シンボルのうちの参照信号が位置する時間領域シンボルのインデックス情報であり、０≦ｌ２＜Ｎであり、ｎ′ｆ＝ｎｆまたはｎ′ｆ＝ｎｆｍｏｄ（Ｅ）である。ｎｆは参照信号が位置するフレームのフレーム番号であり、Ｅは予め定められた値である。Ｂは、参照信号が位置するフレームに含まれる時間単位の数である。Ｂは、参照信号が位置するフレームに含まれるスロットの数である。
【０２５２】
上述の実施形態ではアップリンク参照信号を例に取っているが、本開示は参照信号がダウンリンク参照信号であることを除外しない。
【０２５３】
上述の実施形態の説明から、上述のいずれかの実施形態の方法はソフトウェアに汎用ハードウェアプラットフォームを加えたものによって実現されてもよいし、ハードウェアによって実現されてもよいことが当業者によって理解され得る。そのような理解に基づいて、本開示が提供する解決策はソフトウェア製品の形態で具体化されてもよい。上記コンピュータソフトウェア製品は非一時的な記憶媒体（読出専用メモリ（ＲＯＭ）、ランダムアクセスメモリ（ＲＡＭ）、磁気ディスクまたは光ディスクなど）に格納され、記憶媒体は、端末装置（携帯電話、コンピュータ、サーバ、またはネットワーク装置であり得る）に本開示のいずれかの実施形態に記載の方法を実行させることができる多数の命令を含む。
【０２５４】
実施形態２
本実施形態は、参照信号の伝送装置をさらに提供する。上記装置は上述の実施形態を実現するように構成される。すでに説明したものは繰返さない。以下で使用する「モジュール」という用語は、予め定められた機能を実現可能なソフトウェア、ハードウェアまたはそれらの組合せであってもよい。以下の実施形態に記載する装置はソフトウェアによって実現されてもよいが、ハードウェアによる、またはソフトウェアとハードウェアの組合せによる実現も可能であり、想定される。
【０２５５】
本開示の別の実施形態は、参照信号の伝送装置をさらに提供する。上記装置は、第１の取得モジュールと、第１の決定モジュールと、第１の伝送モジュールとを含む。第１の取得モジュールは以下の情報、すなわち、参照信号が位置する時間単位に含まれる時間領域シンボルの数Ｎ、正の整数Ｍ、１つの時間単位に含まれるＮ個の時間領域シンボルのうちの参照信号が位置する時間領域シンボルのインデックス情報、プリセットされたＭ個の時間領域シンボルのうちの参照信号が位置する時間領域シンボルのインデックス情報、参照信号が位置するフレームのフレーム番号、参照信号が位置するフレームに含まれる時間単位の数Ｂ、または参照信号が位置するＢＷＰのサブキャリア間隔に従って取得される時間単位インデックス、のうちの少なくとも１つに従って、参照信号のシーケンスグループ番号および／またはシーケンス番号を取得するように構成される。第１の決定モジュールは、シーケンスグループ番号および／またはシーケンス番号に従って参照信号を決定するように構成される。第１の伝送モジュールは、参照信号を伝送するように構成される。Ｍは以下の条件、すなわち、ＭはＮ以下であり、Ａ以上である、を満たす。Ａは、１つの時間単位内の参照信号が占有可能な時間領域シンボルの最大数であり、または、Ａは、１つの時間単位内の参照信号が占有する時間領域シンボルの数である。
【０２５６】
本開示の別の実施形態は、参照信号の伝送装置をさらに提供する。上記装置は、シグナリング情報または予め合意した規則に従って、以下の動作、すなわち、複数のパラメータセットから１つのパラメータセットを選択すること、または複数の式から１つの式を選択すること、のうちの少なくとも一方を実行するように構成される実行モジュールと、選択されたパラメータセットおよび／または選択された式に従ってシーケンスグループ番号および／またはシーケンス番号を決定するように構成される第２の決定モジュールと、シーケンスグループ番号および／またはシーケンス番号に従って参照信号を決定するように構成される第３の決定モジュールと、参照信号を伝送するように構成される第２の伝送モジュールとを含む。
【０２５７】
本開示の別の実施形態は、参照信号の伝送装置をさらに提供する。上記装置は、シグナリング情報または合意規則に従って、シーケンスグループ番号および／またはシーケンス番号を生成するためのパラメータの取得方式を決定するように構成される第４の決定モジュールと、取得方式に従ってパラメータを決定するように構成される第５の決定モジュールと、パラメータに従ってシーケンスグループ番号および／またはシーケンス番号を生成するように構成される第１の生成モジュールと、シーケンスグループ番号および／またはシーケンス番号に従って参照信号を決定するように構成される第６の決定モジュールと、参照信号を伝送するように構成される第３の伝送モジュールとを含む。
【０２５８】
本実施形態において、上述のいずれかの実施形態における装置のモジュールは、実施形態１における対応する方法およびステップを実行し得る。
【０２５９】
上述の複数のモジュールはソフトウェアまたはハードウェアによって実現され得る。ハードウェアによる実現は、以下の態様で実行され得るが、必ずしもそうであるとは限らない。すなわち、上述の複数のモジュールは、同一のプロセッサ内に存在するか、または任意に組合せられてそれぞれのプロセッサ内に存在する。
【０２６０】
実施形態３
本開示の別の実施形態は、プロセッサをさらに提供する。上記プロセッサは、実行されると上述の実施形態のうちのいずれか１つの方法を行なうプログラムを実行するように構成される。
【０２６１】
実施形態４
本開示の別の実施形態は、記憶媒体をさらに提供する。上記記憶媒体は、実行されると上述の実施形態のうちのいずれか１つの方法を行なうプログラムを格納している。
【０２６２】
当業者であれば、本開示の上述の少なくとも１つのモジュールまたは少なくとも１つのステップは汎用の計算装置によって実現されてもよいこと、および上述の少なくとも１つのモジュールまたは少なくとも１つのステップは単一の計算装置上に集中されてもよいし、複数の計算装置からなるネットワーク上で分散されてもよいことを理解するはずである。一実施形態では、上述の少なくとも１つのモジュールまたは少なくとも１つのステップは、計算装置によって実行可能なプログラムコードによって実現されてもよく、したがってそれらは記憶装置に格納されて計算装置によって実行されてもよい。場合によっては、図示もしくは説明したステップは本明細書に記載の順序とは異なる順序で実行されてもよく、または上述の少なくとも１つのモジュールもしくは少なくとも１つのステップは別々に少なくとも１つの集積回路モジュールにされてもよく、または本明細書中の複数のモジュールもしくはステップは単一の集積回路モジュールにされて実現されてもよい。このように、本開示はハードウェアとソフトウェアのどのような具体的な組合せにも限定されない。
【図１】
2021508219.tif 000101
【図２】
2021508219.tif 000102
【図３】
2021508219.tif 000103
【図４】
2021508219.tif 000104
【図５】
2021508219.tif 000105
【図６】
2021508219.tif 000106
【図７】
2021508219.tif 000107
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
参照信号の伝送方法であって、
以下の情報、すなわち、
前記参照信号が位置する時間単位に含まれる時間領域シンボルの数Ｎ、前記時間単位に含まれるＮ個の時間領域シンボルのうちの前記参照信号が位置する時間領域シンボルのインデックス情報、または
前記参照信号が位置する帯域幅部分（ＢＷＰ）のサブキャリア間隔に従って取得される時間単位インデックス
のうちの少なくとも１つに従って、前記参照信号のシーケンスグループ番号またはシーケンス番号のうちの少なくとも一方を取得することと、
前記シーケンスグループ番号または前記シーケンス番号のうちの少なくとも一方に従って前記参照信号を決定することと、
前記参照信号を伝送することとを備え、
前記参照信号の前記シーケンスグループ番号を取得することは、前記参照信号の前記シーケンスグループ番号を以下の方式、すなわち、
前記シーケンスグループ番号ｕ＝（ｆｇｈ（ｘ）＋ｆｓｓ）ｍｏｄ  Ｃ
によって取得することを備え、
ｆｇｈ（ｘ）はｘに関する関数であり、ｘは前記情報のうちの少なくとも１つを備え、Ｃはシーケンスグループの総数であり、ｆｓｓは受信したシグナリング情報に含まれるパラメータに従って得られ、
【数１】
2021508219.tif 000108
であり、
ｈ（ｘ）はｘに関する関数であり、ｈ（ｘ）はｈ（ｌ２，Ｎ，ｎｓ）＝ｌ２＋ｎｓ＊Ｎを満たし、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、
ｎｓは、前記参照信号が位置する前記ＢＷＰの前記サブキャリア間隔に従って取得される前記時間単位インデックスであり、
Ｄは８に等しい整数であり、
ｃ（ｚ）はランダムシーケンス関数ｃ（・）が生成するシーケンス内のｚ番目の値であり、ｚは非負整数である、方法。
【請求項２】
前記方法は
【数２】
2021508219.tif 000109
を満たし、
【数３】
2021508219.tif 000110
である、請求項１に記載の方法。
【請求項３】
Ｎは、
Ｎはシグナリング情報で搬送される、
Ｎは予め合意されている、
Ｎは、前記参照信号が位置するスロットに含まれる時間領域シンボルの数である、または
Ｎは、前記参照信号が位置するサブフレームに含まれる時間領域シンボルの数である
のうちの１つに従って決定される、請求項１または２に記載の方法。
【請求項４】
前記情報のうちの前記少なくとも１つに従って前記参照信号の前記シーケンス番号を取得することは、
シーケンスホッピングの場合、前記シーケンス番号ｖはｖ＝ｃ（ｚ１）を満たし、ｚ１は前記情報のうちの少なくとも１つに従って得られ、ｃ（ｚ）はランダムシーケンス関数ｃ（・）が生成するシーケンス内のｚ番目の値であり、ｚは非負整数である
ことを備える、請求項１に記載の方法。
【請求項５】
ｚ１は、式ｚ１＝ｎｓ＊Ｎ＋ｌ２に従って得られ、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎｓは、前記参照信号が位置する前記ＢＷＰの前記サブキャリア間隔に従って取得される前記時間単位インデックスであり、または、ｎｓは、１フレーム内の前記参照信号が位置する時間単位のインデックスである、請求項４に記載の方法。
【請求項６】
参照信号の伝送装置であって、
取得モジュールを備え、前記取得モジュールは以下の情報、すなわち、
前記参照信号が位置する時間単位に含まれる時間領域シンボルの数Ｎ、前記時間単位に含まれるＮ個の時間領域シンボルのうちの前記参照信号が位置する時間領域シンボルのインデックス情報、または
前記参照信号が位置する帯域幅部分（ＢＷＰ）のサブキャリア間隔に従って取得される時間単位インデックス
のうちの少なくとも１つに従って、前記参照信号のシーケンスグループ番号またはシーケンス番号のうちの少なくとも一方を取得するように構成され、前記装置はさらに、
前記シーケンスグループ番号または前記シーケンス番号のうちの少なくとも一方に従って前記参照信号を決定するように構成される決定モジュールと、
前記参照信号を伝送するように構成される伝送モジュールとを備え、
前記取得モジュールは以下の方式、すなわち、
前記シーケンスグループ番号ｕ＝（ｆｇｈ（ｘ）＋ｆｓｓ）ｍｏｄ  Ｃ
によって前記参照信号の前記シーケンスグループ番号を取得するように構成され、
ｆｇｈ（ｘ）はｘに関する関数であり、ｘは前記情報のうちの少なくとも１つを備え、Ｃはシーケンスグループの総数であり、ｆｓｓは受信したシグナリング情報に含まれるパラメータに従って得られ、
【数４】
2021508219.tif 000111
であり、
ｈ（ｘ）はｘに関する関数であり、ｈ（ｘ）はｈ（ｌ２，Ｎ，ｎｓ）＝ｌ２＋ｎｓ＊Ｎを満たし、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、
ｎｓは、前記参照信号が位置する前記ＢＷＰの前記サブキャリア間隔に従って取得される前記時間単位インデックスであり、
Ｄは８に等しい整数であり、
ｃ（ｚ）はランダムシーケンス関数ｃ（・）が生成するシーケンス内のｚ番目の値であり、ｚは非負整数である、装置。
【請求項７】
【数５】
2021508219.tif 000112
を満たし、
【数６】
2021508219.tif 000113
である、請求項６に記載の装置。
【請求項８】
Ｎは、
Ｎはシグナリング情報で搬送される、
Ｎは予め合意されている、
Ｎは、前記参照信号が位置するスロットに含まれる時間領域シンボルの数である、または
Ｎは、前記参照信号が位置するサブフレームに含まれる時間領域シンボルの数である
のうちの１つに従って決定される、請求項６または７に記載の装置。
【請求項９】
前記情報のうちの前記少なくとも１つに従って前記参照信号の前記シーケンス番号を取得することは、
シーケンスホッピングの場合、前記シーケンス番号ｖはｖ＝ｃ（ｚ１）を満たし、ｚ１は前記情報のうちの少なくとも１つに従って得られ、ｃ（ｚ）はランダムシーケンス関数ｃ（・）が生成するシーケンス内のｚ番目の値であり、ｚは非負整数である
ことを備える、請求項６に記載の装置。
【請求項１０】
ｚ１は、式ｚ１＝ｎｓ＊Ｎ＋ｌ２に従って得られ、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎｓは、前記参照信号が位置する前記ＢＷＰの前記サブキャリア間隔に従って取得される前記時間単位インデックスであり、または、ｎｓは、１フレーム内の前記参照信号が位置する時間単位のインデックスである、請求項６に記載の装置。
【請求項１１】
プログラムを格納しているコンピュータ可読記憶媒体であって、前記プログラムは、コンピュータによって実行されると、
以下の情報、すなわち、
参照信号が位置する時間単位に含まれる時間領域シンボルの数Ｎ、前記時間単位に含まれるＮ個の時間領域シンボルのうちの前記参照信号が位置する時間領域シンボルのインデックス情報、または
前記参照信号が位置する帯域幅部分（ＢＷＰ）のサブキャリア間隔に従って取得される時間単位インデックス
のうちの少なくとも１つに従って、前記参照信号のシーケンスグループ番号またはシーケンス番号のうちの少なくとも一方を取得することと、
前記シーケンスグループ番号または前記シーケンス番号のうちの少なくとも一方に従って前記参照信号を決定することと、
前記参照信号を伝送することとを実行し、
前記参照信号の前記シーケンスグループ番号を取得することは、前記参照信号の前記シーケンスグループ番号を以下の方式、すなわち、
前記シーケンスグループ番号ｕ＝（ｆｇｈ（ｘ）＋ｆｓｓ）ｍｏｄ  Ｃ
によって取得することを備え、
ｆｇｈ（ｘ）はｘに関する関数であり、ｘは前記情報のうちの少なくとも１つを備え、Ｃはシーケンスグループの総数であり、ｆｓｓは受信したシグナリング情報に含まれるパラメータに従って得られ、
【数７】
2021508219.tif 000114
であり、
ｈ（ｘ）はｘに関する関数であり、ｈ（ｘ）はｈ（ｌ２，Ｎ，ｎｓ）＝ｌ２＋ｎｓ＊Ｎを満たし、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、
ｎｓは、前記参照信号が位置する前記ＢＷＰの前記サブキャリア間隔に従って取得される前記時間単位インデックスであり、
Ｄは８に等しい整数であり、
ｃ（ｚ）はランダムシーケンス関数ｃ（・）が生成するシーケンス内のｚ番目の値であり、ｚは非負整数である、コンピュータ可読記憶媒体。
【請求項１２】
前記コンピュータによって実行されると
【数８】
2021508219.tif 000115
を実行するプログラムを格納しており、
【数９】
2021508219.tif 000116
である、請求項１１に記載のコンピュータ可読記憶媒体。
【請求項１３】
Ｎは、
Ｎはシグナリング情報で搬送される、
Ｎは予め合意されている、
Ｎは、前記参照信号が位置するスロットに含まれる時間領域シンボルの数である、または
Ｎは、前記参照信号が位置するサブフレームに含まれる時間領域シンボルの数である
のうちの１つに従って決定される、請求項１１または１２に記載のコンピュータ可読記憶媒体。
【請求項１４】
前記情報のうちの前記少なくとも１つに従って前記参照信号の前記シーケンス番号を取得することは、
シーケンスホッピングの場合、前記シーケンス番号ｖはｖ＝ｃ（ｚ１）を満たし、ｚ１は前記情報のうちの少なくとも１つに従って得られ、ｃ（ｚ）はランダムシーケンス関数ｃ（・）が生成するシーケンス内のｚ番目の値であり、ｚは非負整数である
ことを備える、請求項１１に記載のコンピュータ可読記憶媒体。
【請求項１５】
ｚ１は、式ｚ１＝ｎｓ＊Ｎ＋ｌ２に従って得られ、
ｌ２は、前記時間単位に含まれる前記Ｎ個の時間領域シンボルのうちの前記参照信号が位置する前記時間領域シンボルの前記インデックス情報であり、０≦ｌ２＜Ｎであり、ｎｓは、前記参照信号が位置する前記ＢＷＰの前記サブキャリア間隔に従って取得される前記時間単位インデックスであり、または、ｎｓは、１フレーム内の前記参照信号が位置する時間単位のインデックスである、請求項１４に記載のコンピュータ可読記憶媒体。
【国際調査報告】
2021508219.tif 000117
2021508219.tif 000118
2021508219.tif 000119
2021508219.tif 000120
2021508219.tif 000121
2021508219.tif 000122